(57)【特許請求の範囲】
【請求項１】
第1の端末が測定レポートをトリガする瞬間および前記第1の端末のタイマT310に従って、前記第1の端末によって第1の情報を入手するステップであって、前記第1の情報は、前記第1の端末が前記測定レポートをトリガする前記瞬間と前記第1の端末の前記タイマT310との間のタイミング関係を表す第1の識別子を含む、入手するステップと、
前記第1の端末によって、前記第1の情報を基地局に送信するステップと
を含む、端末情報報告方法。
【請求項２】
前記タイミング関係は、前記第1の端末の前記タイマT310の作動中に前記第1の端末が前記測定レポートをトリガすることを含む、請求項1に記載の方法。
【請求項３】
前記第1の情報は、前記基地局が、前記第1の識別子によって決定される中断遅延の長さに従って、前記第1の端末に関する前記基地局の現在の構成が所定のサービス品質を満足するのかどうかを判定するのに使用される、請求項1または2に記載の方法。
【請求項４】
前記第1の端末によって第1の情報を入手する前記ステップの前に、
前記基地局から前記第1の端末の構成情報を入手するステップであって、前記第1の端末の前記構成情報は、第2の端末が測定レポートをトリガする瞬間と前記第2の端末のタイマT310との間のタイミング関係に従って前記基地局によって判定され、前記第1の端末の前記構成情報は、少なくとも、前記第1の端末のために構成される挙動モードに関する情報を含む、入手するステップと、
前記第1の端末の前記構成情報に従って構成を実行するステップと
をさらに含む、請求項1から3のいずれか一項に記載の方法。
【請求項５】
前記第1の端末によって前記第1の情報を入手する前記ステップは、
前記第1の識別子と、前記第1の端末が測定レポートをトリガする前記瞬間と前記第1の端末の前記タイマT310との間の前記タイミング関係との間の事前に記憶された対応に従って前記第1の識別子を入手するステップ
を含む、請求項1から4のいずれか一項に記載の方法。
【請求項６】
基地局によって、第1の端末によって報告された第1の情報を入手するステップであって、前記第1の情報は、前記第1の端末が測定レポートをトリガする瞬間と前記第1の端末のタイマT310との間のタイミング関係を表す第1の識別子を含む、入手するステップと、
前記第1の情報に基づいて得られる中断遅延の長さに従って、前記基地局によって、前記第1の端末に関する前記基地局の現在の構成が所定のサービス品質を満足するのかどうかを判定するステップと
を含む、端末情報処理方法。
【請求項７】
前記タイミング関係は、前記第1の端末の前記タイマT310の作動中に前記第1の端末が前記測定レポートをトリガすることを含む、請求項6に記載の方法。
【請求項８】
前記第1の情報に基づいて得られる中断遅延の長さに従って、前記第1の端末に関する前記基地局の現在の構成が所定のサービス品質を満足するのかどうかを判定する前記ステップは、
前記第1の識別子と前記中断遅延との間の事前に記憶された対応に従って前記第1の識別子に対応する前記中断遅延を入手するステップと、
前記第1の識別子に対応する前記中断遅延の長さに従って、前記基地局の前記現在の構成が前記所定のサービス品質を満足するのかどうかを判定するステップと
を含む、請求項6または7に記載の方法。
【請求項９】
前記基地局によって、前記第1の情報を入手する前記ステップの前に、
前記基地局によって、第2の端末が測定レポートをトリガする瞬間と前記第2の端末のタイマT310との間のタイミング関係に従って前記第1の端末の構成情報を判定するステップであって、前記第1の端末の前記構成情報は、少なくとも、前記第1の端末のために構成される挙動モードに関する情報を含む、判定するステップ
をさらに含む、請求項6から8のいずれか一項に記載の方法。
【請求項１０】
前記基地局によって、前記第1の情報を入手する前記ステップの前に、
前記基地局によって、第2の端末から報告された時間長に従って、前記第1の端末の構成情報を判定するステップであって、前記時間長は、第2の端末が測定レポートをトリガする瞬間と前記第2の端末のタイマT310が始動される瞬間との間の時間長、または前記第2の端末が前記測定レポートをトリガする前記瞬間と前記第2の端末の前記タイマT310が満了する瞬間との間の時間長である、判定するステップ
をさらに含む、請求項6から8のいずれか一項に記載の方法。
【請求項１１】
入手ユニットと送信ユニットとを含む第1の端末であって、
前記入手ユニットは、前記第1の端末が測定レポートをトリガする瞬間および前記第1の端末のタイマT310に従って、第1の情報を入手するように構成され、前記第1の情報は、前記第1の端末が前記測定レポートをトリガする前記瞬間と前記第1の端末の前記タイマT310との間のタイミング関係を表す第1の識別子を含み、
前記送信ユニットは、前記入手ユニットによって入手された前記第1の情報を基地局に送信するように構成される
第1の端末。
【請求項１２】
前記タイミング関係は、前記第1の端末の前記タイマT310の作動中に前記第1の端末が前記測定レポートをトリガすることを含む、請求項11に記載の第1の端末。
【請求項１３】
前記第1の情報は、前記基地局が、前記第1の識別子によって決定される中断遅延の長さに従って、前記基地局の現在の構成が所定のサービス品質を満足するのかどうかを判定するのに使用される、請求項11または12に記載の第1の端末。
【請求項１４】
前記入手ユニットは、
前記第1の情報を入手する前に、前記第1の端末の構成情報を入手するようにさらに構成され、前記第1の端末の前記構成情報は、第2の端末によって報告される第3の識別子に従って前記基地局によって判定され、前記第3の識別子は、前記第2の端末が測定レポートをトリガする瞬間と前記第2の端末のタイマT310との間のタイミング関係を表し、前記第1の端末の前記構成情報は、少なくとも、前記第1の端末のために構成される挙動モードに関する情報を含み、
前記第1の端末は、前記入手ユニットによって入手された前記第1の端末の前記構成情報に従って構成を実行するように構成された構成ユニットをさらに含む
請求項11から13のいずれか一項に記載の第1の端末。
【請求項１５】
前記入手ユニットは、前記第1の識別子と、前記端末が前記測定レポートをトリガする瞬間と前記第1の端末の前記タイマT310との間の前記タイミング関係との間の事前に記憶された対応に従って前記第1の識別子を入手するように構成される
請求項11から14のいずれか一項に記載の第1の端末。
【請求項１６】
入手ユニットおよび判定ユニットを含む基地局であって、
前記入手ユニットは、第1の端末によって報告された第1の情報を入手するように構成され、前記第1の情報は、前記第1の端末が測定レポートをトリガする瞬間と前記第1の端末のタイマT310との間のタイミング関係を表す第1の識別子を含み、
前記判定ユニットは、前記入手ユニットによって入手された前記第1の情報に基づいて得られる中断遅延の長さに従って、前記基地局の現在の構成が所定のサービス品質を満足するのかどうかを判定するように構成される
基地局。
【請求項１７】
前記タイミング関係は、前記第1の端末の前記タイマT310の作動中に前記第1の端末が前記測定レポートをトリガすることを含む、請求項16に記載の基地局。
【請求項１８】
前記判定ユニットは、前記入手ユニットが前記第1の情報を入手する前に、第2の端末が測定レポートをトリガする瞬間と前記第2の端末のタイマT310との間のタイミング関係に従って前記第1の端末の前記構成を判定するようにさらに構成され、前記第1の端末の構成情報は、少なくとも、前記第1の端末のために構成される挙動モードに関する情報を含む
請求項16または17に記載の基地局。
【請求項１９】
前記判定ユニットは、前記入手ユニットが前記第1の情報を入手する前に、第2の端末から報告された時間長に従って、前記第1の端末の前記構成を判定するようにさらに構成され、前記時間長は、第2の端末が測定レポートをトリガする瞬間と前記第2の端末のタイマT310が始動される瞬間との間の時間長、または前記第2の端末が前記測定レポートをトリガする前記瞬間と前記第2の端末の前記タイマT310が満了する瞬間との間の時間長である
請求項16または17に記載の基地局。
【請求項２０】
請求項11から15のいずれか一項に記載の端末と請求項16から19のいずれか一項に記載の基地局とを含む無線通信システム。
【発明の詳細な説明】
【技術分野】
【０００１】
本発明は、通信の分野に関し、詳細には、端末情報報告方法および関連するデバイスに関する。
【背景技術】
【０００２】
測定レポートは、端末によって基地局に送信されるメッセージであり、このメッセージは、端末が基地局の構成に従って測定を実行した後に入手される測定結果を含む。測定レポートの条件が、所定の時間にわたって満足され、持続する時には、測定レポートがトリガされ、その後、端末は、トリガされた測定レポートを基地局に送信する。
【０００３】
T310は、端末によって維持されるタイマであり、端末が、測定によって、サービングセルのチャネル条件が所定の範囲まで劣化すると判定する時に、端末は、T310を始動する。T310の作動中に、端末は、基本的に、サービングセルと正常に通信することができず、中断状態にあると考えられ得る。端末とサービングセルとの間の通信は、端末が接続を再確立するまで、正常な状態に復元されない。
【０００４】
従来技術では、測定レポートの送信の瞬間とT310との間のタイミング関係に関して、基地局は、1つの端末について異なる挙動モード(behavior mode)を構成することができる。ある挙動モードでは、測定レポートの送信の瞬間とT310との間のタイミング関係に関して、端末は、その挙動モードに従って、どの挙動を行うべきかを判定する。しかし、異なる挙動は、端末に対するいくつかの挙動によって引き起こされる中断遅延がランダムである場合に、端末に対する異なる中断遅延を引き起こす可能性があり、したがって、基地局は、サービス品質を制御することができず、現在の構成パラメータまたは現在の構成ポリシーが所定のサービス品質を満足できるのかどうかを判定することができず、さらに、サービス品質(Quality Of Service、QoS)を改善するために現在の構成パラメータまたは現在の構成ポリシーを調整することができない。
【発明の概要】
【課題を解決するための手段】
【０００５】
本発明の実施形態は、基地局が中断遅延を学習することを可能にし、したがって、中断遅延に従ってサービス品質を制御することができる、端末情報報告方法および関連するデバイスを提供する。
【０００６】
前述の目的を達成するために、本発明の実施形態は、以下の技術的解決策を使用する。
【０００７】
第1の態様によれば、端末情報報告方法が提供され、この方法は、
第1の端末によって第1の情報を入手するステップであって、第1の情報は、中断遅延、第1の識別子、または第2の識別子を含み、第1の識別子は、第1の端末が測定レポートをトリガしまたは送信する瞬間と第1のタイマとの間のタイミング関係を表し、第2の識別子は、第1の端末が接続再確立を開始する瞬間と第1のタイマとの間のタイミング関係を表す、入手するステップと、
第1の情報を基地局に送信するステップと
を含む。
【０００８】
第1の態様の第1の可能な実施の形では、第1の態様に関して、第1の情報を基地局に送信するステップは、
第1の情報を基地局に送信するステップであって、基地局は、中断遅延に従って、または第1の識別子によって決定される中断遅延に従って、または第2の識別子によって決定される中断遅延に従って、基地局の現在の構成が所定のサービス品質を満足できるのかどうかを判定する、送信するステップ
を特に含む。
【０００９】
第1の態様の第2の可能な実施の形では、第1の態様または第1の態様の第1の可能な実施の形に関して、第1の端末によって第1の情報を入手するステップの前に、この方法は、
第1の端末の構成情報を入手するステップであって、第1の端末の構成情報は、第2の端末によって報告される第3の識別子に従って基地局によって判定され、第3の識別子は、第2の端末が測定レポートをトリガしまたは送信する瞬間と第1のタイマとの間のタイミング関係を表し、第1の端末の構成情報は、少なくとも、第1の端末のために構成される挙動モードに関する情報を含む、入手するステップと、
第1の端末の構成情報に従って構成を実行するステップと
をさらに含み、第1の情報が中断遅延である場合に、第1の端末によって第1の情報を入手するステップは、
第1の端末のために構成される挙動モードに従って中断遅延を入手するステップ
を特に含み、または、
第1の情報が第1の識別子である場合に、第1の端末によって第1の情報を入手するステップは、
端末が測定レポートをトリガしまたは送信する瞬間と第1のタイマとの間のタイミング関係と第1の識別子との間の事前に記憶された対応に従って第1の識別子を入手するステップ
を特に含み、または、
第1の情報が第2の識別子である場合に、第1の端末によって第1の情報を入手するステップは、
端末が接続再確立を開始する瞬間と第1のタイマとの間のタイミング関係と第2の識別子との間の事前に記憶された対応に従って第2の識別子を入手するステップ
を特に含む。
【００１０】
第1の態様の第3の可能な実施の形では、第1の態様の第2の可能な実施の形に関して、第1の端末の構成情報は、第2の端末によって報告される第1の時間長または第2の時間長に従って基地局によってさらに判定され、第1の時間長は、第2の端末が測定レポートをトリガしまたは送信する瞬間と第1のタイマが始動される瞬間との間の時間長であり、第2の時間長は、第2の端末が測定レポートをトリガしまたは送信する瞬間と第1のタイマが満了する瞬間との間の時間長である。
【００１１】
第1の態様の第4の可能な実施の形では、第1の態様の第2の可能な実施の形または第1の態様の第3の可能な実施の形に関して、第1/第2の端末が測定レポートをトリガしまたは送信する瞬間と第1のタイマとの間のタイミング関係は、
第1のタイマが始動される前に第1/第2の端末が測定レポートをトリガしまたは送信する第1の関係
または
第1のタイマの作動中に第1/第2の端末が測定レポートをトリガしまたは送信する第2の関係
または
第1のタイマが満了する時に第1/第2の端末がまだ測定レポートをトリガまたは送信していない第3の関係
を含む。
【００１２】
第1の態様の第5の可能な実施の形では、第1の態様の第4の可能な実施の形に関して、第1の端末のために構成される挙動モードは、
第1の関係が発生する時に、第1のタイマに関して第1の端末によって構成されるタイマ長が、第1のタイマ長であり、第1のタイマが満了する時に、第1の端末が、接続再確立を開始し、
第2の関係または第3の関係が発生する時に、第1のタイマに関して第1の端末によって構成されるタイマ長が、第2のタイマ長であり、第1のタイマが満了する時に、第1の端末が接続再確立を開始する
を含む第1の挙動モード
または
第1のタイマに関して第1の端末によって構成されるタイマ長が、第2のタイマ長であり、
第2の関係が発生し、第1の端末が測定レポートをトリガしまたは送信する時に、第1の端末が、作動中の第1のタイマを終了し、接続再確立を開始し、
第1の関係または第3の関係が発生し、第1のタイマが満了する時に、第1の端末が接続再確立を開始する
を含む第2の挙動モード
または
第1の関係が発生する時に、第1のタイマに関して第1の端末によって構成されるタイマ長が、第1のタイマ長であり、第1のタイマが満了する時に、第1の端末が、接続再確立を開始し、
第2の関係が発生する時に、第1のタイマに関して第1の端末によって構成されるタイマ長が、第2のタイマ長であり、第1の端末が、測定レポートをトリガしまたは送信する時に、第1の端末が、作動中の第1のタイマを終了し、接続再確立を開始し、
第3の関係が発生する時に、第1のタイマに関して第1の端末によって構成されるタイマ長が、第2のタイマ長であり、第1のタイマが、満了する時に、第1の端末が、接続再確立を開始する
を含む第3の挙動モード、または
第1のタイマに関して第1の端末によって構成されるタイマ長が、第2のタイマ長であり、
第1のタイマが満了する時に、第1の端末が、接続再確立を開始する
を含む第4の挙動モード
を特に含む。
【００１３】
第1の態様の第6の可能な実施の形では、第1の態様の第5の可能な実施の形に関して、第1の端末のために構成される挙動モードが、第1の挙動モードである場合に、第1の端末のために構成される挙動モードに従って中断遅延を入手するステップは、
第1の関係が発生する時に、第1のタイマの第1のタイマ長が中断遅延であることを入手するステップと、
第2の関係または第3の関係が発生する時に、第1のタイマの第2のタイマ長が中断遅延であることを入手するステップと
を特に含む。
【００１４】
第1の態様の第7の可能な実施の形では、第1の態様の第5の可能な実施の形に関して、第1の端末のために構成される挙動モードが、第2の挙動モードである場合に、第1の端末のために構成される挙動モードに従って中断遅延を入手するステップは、
第2の関係が発生する時に、第1のタイマの作動時間長値が中断遅延であることを入手するステップであって、第1のタイマの作動時間長値は、第1のタイマが始動される瞬間と第1の端末が測定レポートをトリガしまたは送信する瞬間との間の時間長である、入手するステップと、
第1の関係または第3の関係が発生する時に、第1のタイマの第2の時間長が中断遅延であることを入手するステップと
を特に含む。
【００１５】
第1の態様の第8の可能な実施の形では、第1の態様の第5の可能な実施の形に関して、第1の端末のために構成される挙動モードが、第3の挙動モードである場合に、第1の端末のために構成される挙動モードに従って中断遅延を入手するステップは、
第1の関係が発生する時に、第1のタイマの第1のタイマ長が中断遅延であることを入手するステップと、
第2の関係が発生する時に、第1のタイマの作動時間長値が中断遅延であることを入手するステップであって、第1のタイマの作動時間長値は、第1のタイマが始動される瞬間と第1の端末が測定レポートをトリガしまたは送信する瞬間との間の時間長である、入手するステップと、
第3の関係が発生する時に、第1のタイマの第2のタイマ長が中断遅延であることを入手するステップと
を特に含む。
【００１６】
第1の態様の第9の可能な実施の形では、第1の態様の第5の可能な実施の形に関して、第1の端末のために構成される挙動モードが、第4の挙動モードである場合に、第1の端末のために構成される挙動モードに従って中断遅延を入手するステップは、
第1のタイマの第2のタイマ長が中断遅延であることを入手するステップ
を特に含む。
【００１７】
第1の態様の第10の可能な実施の形では、第1の態様の第1から第9までの可能な実施の形に関して、第1の端末が接続再確立を開始する瞬間と第1のタイマとの間のタイミング関係は、
第1のタイマが満了する時に第1の端末が接続再確立を開始し、第1のタイマに関して現在構成されているタイマ長が第1のタイマ長である、第4の関係
または
第1のタイマが満了する時に第1の端末が接続再確立を開始し、第1のタイマに関して現在構成されているタイマ長が第2のタイマ長であり、第1のタイマ長および第2のタイマ長が異なる、第5の関係
または
第1のタイマの作動中に第1の端末が接続再確立を開始し、第1のタイマに関して現在構成されているタイマ長が第2のタイマ長である、第6の関係
を特に含む。
【００１８】
第2の態様によれば、端末情報報告方法が提供され、この方法は、
基地局によって、第1の端末によって報告された第1の情報を入手するステップであって、第1の情報は、中断遅延、または第1の識別子、または第2の識別子を含み、第1の識別子は、第1の端末が測定レポートをトリガしまたは送信する瞬間と第1のタイマとの間のタイミング関係を表し、第2の識別子は、第1の端末が接続再確立を開始する瞬間と第1のタイマとの間のタイミング関係を表す、入手するステップと、
第1の情報に従って、基地局の現在の構成が所定のサービス品質を満足できるのかどうかを判定するステップと
を含む。
【００１９】
第2の態様の第1の可能な実施の形では、第2の態様に関して、第1の情報に従って、基地局の現在の構成が所定のサービス品質を満足できるのかどうかを判定するステップは、
第1の情報が中断遅延である場合に、中断遅延に従って、基地局の現在の構成が所定のサービス品質を満足できるのかどうかを判定するステップ、または、
第1の情報が第1の識別子である場合に、第1の識別子と中断遅延との間の事前に記憶された対応に従って第1の識別子に対応する中断遅延を入手するステップと、
第1の識別子に対応する中断遅延に従って、基地局の現在の構成が所定のサービス品質を満足できるのかどうかを判定するステップ、または、
第1の情報が第2の識別子である場合に、第2の識別子と中断遅延との間の事前に記憶された対応に従って第2の識別子に対応する中断遅延を入手するステップと、
第2の識別子に対応する中断遅延に従って、基地局の現在の構成が所定のサービス品質を満足できるのかどうかを判定するステップと
を特に含む。
【００２０】
第2の態様の第2の可能な実施の形では、第2の態様または第2の態様の第1の可能な実施の形に関して、基地局によって、第1の端末によって報告された第1の情報を入手するステップの前に、この方法は、
少なくとも1つのタイプの第3の識別子を入手するステップであって、第3の識別子は、第2の端末が測定レポートをトリガしまたは送信する瞬間と第1のタイマとの間のタイミング関係を表す、入手するステップと、
少なくとも1つのタイプの第3の識別子に従って第1の端末に対応する好ましい挙動モードを判定するステップと、
基地局が好ましい挙動モードが構成されることを許可する場合に、第1の端末が好ましい挙動モードを構成するようにするために、好ましい挙動モードに関する情報を第1の端末に送信するステップ、または、
基地局が好ましい挙動モードが構成されることを許可しない場合に、第1の端末が、基地局が構成を許可する挙動モードおよび第1のパラメータに関する情報に従って構成を実行するようにするために、基地局が構成を許可する挙動モードおよび第1のパラメータに関する情報を第1の端末に送信するステップであって、第1のパラメータは、基地局が構成を許可する挙動モードが第1の端末の好ましい挙動モードになることを可能にするパラメータである、送信するステップと
をさらに含む。
【００２１】
第2の態様の第3の可能な実施の形では、第2の態様の第2の可能な実施の形に関して、少なくとも1つのタイプの第3の識別子に従って第1の端末に対応する好ましい挙動モードを判定するステップは、
少なくとも1つのタイプの第3の識別子の各タイプの第3の識別子の量をカウントするステップと、
少なくとも1つのタイプの識別子の各タイプの第3の識別子の量に従って、第4の識別子を判定するステップであって、第4の識別子は、少なくとも1つのタイプの第3の識別子の中で識別子の最大の量を有する識別子のタイプである、判定するステップと、
第4の識別子に従って第4の識別子に対応する好ましい挙動モードを判定し、好ましい挙動モードが第1の端末に対応する好ましい挙動モードであると判定するステップと
を特に含む。
【００２２】
第2の態様の第4の可能な実施の形では、第2の態様の第3の可能な実施の形に関して、第1/第2の端末が測定レポートをトリガしまたは送信する瞬間と第1のタイマとの間のタイミング関係は、
第1のタイマが始動される前に第1/第2の端末が測定レポートをトリガしまたは送信する、第1の関係
または
第1のタイマの作動中に第1/第2の端末が測定レポートをトリガしまたは送信する、第2の関係
または
第1のタイマが満了する時に第1/第2の端末がまだ測定レポートをトリガまたは送信していない、第3の関係
を含む。
【００２３】
第2の態様の第5の可能な実施の形では、第2の態様の第4の可能な実施の形に関して、第1の端末に対応する好ましい挙動モードは、
第1の関係が発生する時に、第1のタイマに関して第1の端末によって構成されるタイマ長が、第1のタイマ長であり、第1のタイマが満了する時に、第1の端末が、接続再確立を開始し、
第2の関係または第3の関係が発生する時に、第1のタイマに関して第1の端末によって構成されるタイマ長が、第2のタイマ長であり、第1のタイマが満了する時に、第1の端末が、接続再確立を開始する
を含む第1の挙動モード
または
第1のタイマに関して第1の端末によって構成されるタイマ長が、第2のタイマ長であり、
第2の関係が発生し、第1の端末が測定レポートをトリガしまたは送信する時に、第1の端末が、作動中の第1のタイマを終了し、接続再確立を開始し、
第1の関係または第3の関係が発生し、第1のタイマが満了する時に、第1の端末が、接続再確立を開始する
を含む第2の挙動モード
または
第1の関係が発生する時に、第1のタイマに関して第1の端末によって構成されるタイマ長が、第1のタイマ長であり、第1のタイマが満了する時に、第1の端末が、接続再確立を開始し、
第2の関係が発生する時に、第1のタイマに関して第1の端末によって構成されるタイマ長が、第2のタイマ長であり、第1の端末が測定レポートをトリガしまたは送信する時に、第1の端末が、作動中の第1のタイマを終了し、接続再確立を開始し、
第3の関係が発生する時に、第1のタイマに関して第1の端末によって構成されるタイマ長が、第2のタイマ長であり、第1のタイマが満了する時に、第1の端末が、接続再確立を開始する
を含む第3の挙動モード、または
第1のタイマに関して第1の端末によって構成されるタイマ長が、第2のタイマ長であり、
第1のタイマが満了する時に、第1の端末が接続再確立を開始する
を含む第4の挙動モード
を特に含む。
【００２４】
第2の態様の第6の可能な実施の形では、第2の態様の第5の可能な実施の形に関して、第4の識別子は、第1の関係を特に表し、
第4の識別子に従って第4の識別子に対応する好ましい挙動モードを判定するステップは、
第4の識別子に従って、第4の識別子に対応する好ましい挙動モードが、第1の挙動モードまたは第3の挙動モードであることを判定するステップ
を特に含み、基地局が好ましい挙動モードが構成されることを許可する場合に、第1の端末が好ましい挙動モードを構成するようにするために好ましい挙動モードに関する情報を第1の端末に送信するステップは、
基地局が、第1の挙動モードが構成されることを許可する場合に、第1の端末が第1の挙動モードを構成するようにするために、第1の挙動モードに関する情報を第1の端末に送信するステップ、または
基地局が、第3の挙動モードが構成されることを許可する場合に、第1の端末が第3の挙動モードを構成するようにするために、第3の挙動モードに関する情報を第1の端末に送信するステップ
を特に含む。
【００２５】
第2の態様の第7の可能な実施の形では、第2の態様の第6の可能な実施の形に関して、基地局が、好ましい挙動モードが構成されることを許可しない場合に、第1の端末が、基地局が構成を許可する挙動モードおよび第1のパラメータに関する情報に従って構成を実行するようにするために、基地局が構成を許可する挙動モードおよび第1のパラメータに関する情報を送信するステップは、
基地局が、第1の挙動モードが構成されることを許可せず、第3の挙動モードが構成されることを許可しないが、第4の挙動モードおよび第2の挙動モードが構成されることを許可する場合に、第1の端末が、第4の挙動モードおよび第1のパラメータに関する情報に従って構成を実行するようにするために、第4の挙動モードおよび第1のパラメータに関する情報を第1の端末に送信するステップ
または
第1の端末が、第2の挙動モードおよび第1のパラメータに関する情報に従って構成を実行するようにするために、第2の挙動モードおよび第1のパラメータに関する情報を第1の端末に送信するステップ
を特に含む。
【００２６】
第2の態様の第8の可能な実施の形では、第2の態様の第5の可能な実施の形に関して、第4の識別子は、第2の関係を特に表し、
第4の識別子に従って第4の識別子に対応する好ましい挙動モードを判定するステップは、
第4の識別子に従って、第4の識別子に対応する好ましい挙動モードが第2の挙動モードまたは第3の挙動モードであることを判定するステップ
を特に含み、基地局が、好ましい挙動モードが構成されることを許可する場合に、第1の端末が好ましい挙動モードを構成するようにするために、好ましい挙動モードに関する情報を第1の端末に送信するステップは、
基地局が、第2の挙動モードが構成されることを許可する場合に、第1の端末が第2の挙動モードを構成するようにするために、第2の挙動モードに関する情報を第1の端末に送信するステップ、または、
基地局が、第3の挙動モードが構成されることを許可する場合に、第1の端末が第3の挙動モードを構成するようにするために、第3の挙動モードに関する情報を第1の端末に送信するステップ
を特に含む。
【００２７】
第2の態様の第9の可能な実施の形では、第2の態様の第8の可能な実施の形に関して、基地局が、好ましい挙動モードが構成されることを許可しない場合に、第1の端末が、基地局が構成を許可する挙動モードおよび第1のパラメータに従って構成を実行するようにするために、基地局が構成を許可する挙動モードおよび第1のパラメータに関する情報を第1の端末に送信するステップは、
基地局が、第2の挙動モードが構成されることを許可せず、第3の挙動モードが構成されることを許可しないが、第4の挙動モードおよび第1の挙動モードが構成されることを許可する場合に、第1の端末が第4の挙動モードおよび第1のパラメータに関する情報に従って構成を実行するようにするために、第4の挙動モードおよび第1のパラメータに関する情報を第1の端末に送信するステップ
または
第1の端末が、第1の挙動モードおよび第1のパラメータに関する情報に従って構成を実行するようにするために、第1の挙動モードおよび第1のパラメータに関する情報を第1の端末に送信するステップ
を特に含む。
【００２８】
第2の態様の第10の可能な実施の形では、第2の態様の第5の可能な実施の形に関して、第4の識別子は、第3の関係を特に表し、
第4の識別子に従って第4の識別子に対応する好ましい挙動モードを判定するステップは、
第4の識別子の量が、第5の識別子の量と第6の識別子の量との合計より多くはない場合に、第4の識別子に対応する好ましい挙動モードが、第3の挙動モードであると判定するステップであって、第5の識別子および第6の識別子のうちの一方の識別子は、第2の関係に対応し、他方の識別子は、第1の関係に対応する、判定するステップ
を特に含み、基地局が、好ましい挙動モードが構成されることを許可する場合に、第1の端末が好ましい挙動モードを構成するようにするために、好ましい挙動モードに関する情報を第1の端末に送信するステップは、
基地局が、第3の挙動モードが構成されることを許可する場合に、第1の端末が第3の挙動モードを構成するようにするために、第3の挙動モードに関する情報を第1の端末に送信するステップ
を特に含む。
【００２９】
第2の態様の第11の可能な実施の形では、第2の態様の第10の可能な実施の形に関して、基地局が、好ましい挙動モードが構成されることを許可しない場合に、第1の端末が、基地局が構成を許可する挙動モードおよび第1のパラメータに関する情報に従って構成を実行するようにするために、基地局が構成を許可する挙動モードおよび第1のパラメータに関する情報を第1の端末に送信するステップは、
基地局が、第3の挙動モードが構成されることを許可しないが、第4の挙動モードおよび第1の挙動モードが構成されることを許可する場合に、第1の端末が、第4の挙動モードおよび第1のパラメータに関する情報に従って構成を実行するようにするために、第4の挙動モードおよび第1のパラメータに関する情報を第1の端末に送信するステップ
または
第1の端末が第1の挙動モードおよび第1のパラメータに関する情報に従って構成を実行するようにするために、第1の挙動モードおよび第1のパラメータに関する情報を第1の端末に送信するステップ、または、
基地局が、第3の挙動モードが構成されることを許可しないが、第4の挙動モードおよび第2の挙動モードが構成されることを許可する場合に、第1の端末が第4の挙動モードおよび第1のパラメータに関する情報に従って構成を実行するようにするために、第4の挙動モードおよび第1のパラメータに関する情報を第1の端末に送信するステップ
または
第1の端末が第2の挙動モードおよび第1のパラメータに関する情報に従って構成を実行するようにするために、第2の挙動モードおよび第1のパラメータに関する情報を第1の端末に送信するステップ
を特に含む。
【００３０】
第2の態様の第12の可能な実施の形では、第2の態様の第2の可能な実施の形から第2の態様の第11の可能な実施の形までに関して、少なくとも1つのタイプの識別子に従って第1の端末に対応する好ましい挙動モードを判定するステップの前に、この方法は、
第2の端末によって報告された第1の時間長または第2の時間長を入手するステップであって、第1の時間長は、第2の端末が測定レポートをトリガしまたは送信する瞬間と第1のタイマが始動される瞬間との間の時間長であり、第2の時間長は、第2の端末が測定レポートをトリガしまたは送信する瞬間と第1のタイマが満了する瞬間との間の時間長である、入手するステップ
をさらに含み、第1のパラメータは、
第1の時間長または第2の時間長に従って判定されるパラメータ
を特に含む。
【００３１】
第2の態様の第13の可能な実施の形では、第2の態様から第2の態様の第12の可能な実施の形に関して、第1の端末が接続再確立を開始する瞬間と第1のタイマとの間のタイミング関係は、
第1のタイマが満了する時に、第1の端末が、接続再確立を開始し、第1のタイマに関して現在構成されているタイマ長が、第1のタイマ長である、第4の関係
または
第1のタイマが満了する時に、第1の端末が、接続再確立を開始し、第1のタイマに関して現在構成されているタイマ長が、第2のタイマ長であり、第1のタイマ長および第2のタイマ長が、異なる、第5の関係
または
第1のタイマの作動中に、第1の端末が、接続再確立を開始し、第1のタイマに関して現在構成されているタイマ長が、第2のタイマ長である、第6の関係
を特に含む。
【００３２】
第3の態様によれば、第1の端末が提供され、第1の端末は、入手ユニットと送信ユニットとを含み、
入手ユニットは、第1の情報を入手するように構成され、第1の情報は、中断遅延、または第1の識別子、または第2の識別子を含み、第1の識別子は、第1の端末が測定レポートをトリガしまたは送信する瞬間と第1のタイマとの間のタイミング関係を表し、第2の識別子は、第1の端末が接続再確立を開始する瞬間と第1のタイマとの間のタイミング関係を表し、
送信ユニットは、入手ユニットによって入手された第1の情報を基地局に送信するように構成される。
【００３３】
第3の態様の第1の可能な実施の形では、第3の態様に関して、送信ユニットは、
第1の情報を基地局に送信し、基地局は、中断遅延に従って、または第1の識別子によって決定される中断遅延に従って、または第2の識別子によって決定される中断遅延に従って、基地局の現在の構成が所定のサービス品質を満足できるのかどうかを判定する
ように特に構成される。
【００３４】
第3の態様の第2の可能な実施の形では、第3の態様または第3の態様の第1の可能な実施の形に関して、第1の端末は、構成ユニットをさらに含み、
入手ユニットは、
第1の情報を入手する前に、第1の端末の構成情報を入手するようにさらに構成され、第1の端末の構成情報は、第2の端末によって報告される第3の識別子に従って基地局によって判定され、第3の識別子は、第2の端末が測定レポートをトリガしまたは送信する瞬間と第1のタイマとの間のタイミング関係を表し、第1の端末の構成情報は、少なくとも、第1の端末のために構成される挙動モードに関する情報を含み、
構成ユニットは、入手ユニットによって入手された第1の端末の構成情報に従って構成を実行するように構成され、
入手ユニットは、
第1の情報が中断遅延である場合に、第1の端末のために構成される挙動モードに従って中断遅延を入手する
ように特に構成され、または
入手ユニットは、
第1の情報が第1の識別子である場合に、端末が測定レポートをトリガしまたは送信する瞬間と第1のタイマとの間のタイミング関係と第1の識別子との間の事前に記憶された対応に従って第1の識別子を入手する
ようにさらに特に構成され、または
入手ユニットは、
第1の情報が第2の識別子である場合に、端末が接続再確立を開始する瞬間と第1のタイマとの間のタイミング関係と第2の識別子との間の事前に記憶された対応に従って第2の識別子を入手する
ようにさらに特に構成される。
【００３５】
第3の態様の第3の可能な実施の形では、第3の態様の第2の可能な実施の形に関して、第1の端末の構成情報は、第2の端末によって報告される第1の時間長または第2の時間長に従って基地局によってさらに判定され、第1の時間長は、第2の端末が測定レポートをトリガしまたは送信する瞬間と第1のタイマが始動される瞬間との間の時間長であり、第2の時間長は、第2の端末が測定レポートをトリガしまたは送信する瞬間と第1のタイマが満了する瞬間との間の時間長である。
【００３６】
第3の態様の第4の可能な実施の形では、第3の態様の第2の可能な実施の形または第3の態様の第3の可能な実施の形に関して、第1/第2の端末が測定レポートをトリガしまたは送信する瞬間と第1のタイマとの間のタイミング関係は、
第1のタイマが始動される前に第1/第2の端末が測定レポートをトリガしまたは送信する第1の関係
または
第1のタイマの作動中に第1/第2の端末が測定レポートをトリガしまたは送信する第2の関係
または
第1のタイマが満了する時に第1/第2の端末がまだ測定レポートをトリガまたは送信していない第3の関係
を含む。
【００３７】
第3の態様の第5の可能な実施の形では、第3の態様の第4の可能な実施の形に関して、第1の端末のために構成される挙動モードは、
第1の関係が発生する時に、第1のタイマに関して第1の端末によって構成されるタイマ長が、第1のタイマ長であり、第1のタイマが満了する時に、第1の端末が、接続再確立を開始し、
第2の関係または第3の関係が発生する時に、第1のタイマに関して第1の端末によって構成されるタイマ長が、第2のタイマ長であり、第1のタイマが満了する時に、第1の端末が接続再確立を開始する
を含む第1の挙動モード
または
第1のタイマに関して第1の端末によって構成されるタイマ長が、第2のタイマ長であり、
第2の関係が発生し、第1の端末が測定レポートをトリガしまたは送信する時に、第1の端末が、作動中の第1のタイマを終了し、接続再確立を開始し、
第1の関係または第3の関係が発生し、第1のタイマが満了する時に、第1の端末が接続再確立を開始する
を含む第2の挙動モード
または
第1の関係が発生する時に、第1のタイマに関して第1の端末によって構成されるタイマ長が、第1のタイマ長であり、第1のタイマが満了する時に、第1の端末が、接続再確立を開始し、
第2の関係が発生する時に、第1のタイマに関して第1の端末によって構成されるタイマ長が、第2のタイマ長であり、第1の端末が、測定レポートをトリガしまたは送信する時に、第1の端末が、作動中の第1のタイマを終了し、接続再確立を開始し、
第3の関係が発生する時に、第1のタイマに関して第1の端末によって構成されるタイマ長が、第2のタイマ長であり、第1のタイマが、満了する時に、第1の端末が、接続再確立を開始する
を含む第3の挙動モード、
または
第1のタイマに関して第1の端末によって構成されるタイマ長が、第2のタイマ長であり、
第1のタイマが満了する時に、第1の端末が、接続再確立を開始する
を含む第4の挙動モード
を特に含む。
【００３８】
第3の態様の第6の可能な実施の形では、第3の態様の第5の可能な実施の形に関して、第1の端末のために構成される挙動モードが、第1の挙動モードである場合に、入手ユニットは、
第1の関係が発生する時に、第1のタイマの第1のタイマ長が中断遅延であることを入手し、
第2の関係または第3の関係が発生する時に、第1のタイマの第2のタイマ長が中断遅延であることを入手する
ようにさらに特に構成される。
【００３９】
第3の態様の第7の可能な実施の形では、第3の態様の第5の可能な実施の形に関して、第1の端末のために構成される挙動モードが、第2の挙動モードである場合に、入手ユニットは、
第2の関係が発生する時に、第1のタイマの作動時間長値が中断遅延であることを入手することであって、第1のタイマの作動時間長値は、第1のタイマが始動される瞬間と第1の端末が測定レポートをトリガしまたは送信する瞬間との間の時間長である、入手することと、
第1の関係または第3の関係が発生する時に、第1のタイマの第2のタイマ長が中断遅延であることを入手することと
を行うようにさらに特に構成される。
【００４０】
第3の態様の第8の可能な実施の形では、第3の態様の第5の可能な実施の形に関して、第1の端末のために構成される挙動モードが、第3の挙動モードである場合に、入手ユニットは、
第1の関係が発生する時に、第1のタイマの第1のタイマ長が中断遅延であることを入手し、
第2の関係が発生する時に、第1のタイマの作動時間長値が中断遅延であることを入手することであって、第1のタイマの作動時間長値は、第1のタイマが始動される瞬間と第1の端末が測定レポートをトリガしまたは送信する瞬間との間の時間長である、入手することと、
第3の関係が発生する時に、第1のタイマの第2のタイマ長が中断遅延であることを入手することと
を行うようにさらに特に構成される。
【００４１】
第3の態様の第9の可能な実施の形では、第3の態様の第5の可能な実施の形に関して、第1の端末のために構成される挙動モードが、第4の挙動モードである場合に、入手ユニットは、
第1のタイマの第2のタイマ長が中断遅延であることを入手する
ようにさらに特に構成される。
【００４２】
第3の態様の第10の可能な実施の形では、第3の態様から第3の態様の第9の可能な実施の形までに関して、第1の端末が接続再確立を開始する瞬間と第1のタイマとの間のタイミング関係は、
第1のタイマが満了する時に第1の端末が接続再確立を開始し、第1のタイマに関して現在構成されているタイマ長が第1のタイマ長である、第4の関係
または
第1のタイマが満了する時に第1の端末が接続再確立を開始し、第1のタイマに関して現在構成されているタイマ長が第2のタイマ長であり、第1のタイマ長および第2のタイマ長が異なる、第5の関係
または
第1のタイマの作動中に第1の端末が接続再確立を開始し、第1のタイマに関して現在構成されているタイマ長が第2のタイマ長である、第6の関係
を特に含む。
【００４３】
第4の態様によれば、基地局が提供され、この基地局は、入手ユニットおよび判定ユニットを含み、
入手ユニットは、第1の端末によって報告された第1の情報を入手するように構成され、第1の情報は、中断遅延、または第1の識別子、または第2の識別子を含み、第1の識別子は、第1の端末が測定レポートをトリガしまたは送信する瞬間と第1のタイマとの間のタイミング関係を表し、第2の識別子は、第1の端末が接続再確立を開始する瞬間と第1のタイマとの間のタイミング関係を表し、
判定ユニットは、入手ユニットによって入手された第1の情報に従って、基地局の現在の構成が所定のサービス品質を満足できるのかどうかを判定するように構成される。
【００４４】
第4の態様の第1の可能な実施の形では、第4の態様に関して、判定ユニットは、
第1の情報が中断遅延である場合に、中断遅延に従って、基地局の現在の構成が所定のサービス品質を満足できるのかどうかを判定し、または、
第1の情報が第1の識別子である場合に、第1の識別子と中断遅延との間の事前に記憶された対応に従って第1の識別子に対応する中断遅延を入手し、
第1の識別子に対応する中断遅延に従って、基地局の現在の構成が所定のサービス品質を満足できるのかどうかを判定し、または、
第1の情報が第2の識別子である場合に、第2の識別子と中断遅延との間の事前に記憶された対応に従って第2の識別子に対応する中断遅延を入手し、
第2の識別子に対応する中断遅延に従って、基地局の現在の構成が所定のサービス品質を満足できるのかどうかを判定する
ように特に構成される。
【００４５】
第4の態様の第2の可能な実施の形では、第4の態様または第4の態様の第1の可能な実施の形に関して、基地局は、送信ユニットをさらに含み、
入手ユニットは、第1の端末によって報告された第1の情報を入手する前に、少なくとも1つのタイプの第3の識別子を入手するようにさらに構成され、第3の識別子は、第2の端末が測定レポートをトリガしまたは送信する瞬間と第1のタイマとの間のタイミング関係を表し、
判定ユニットは、入手ユニットによって入手された少なくとも1つのタイプの第3の識別子に従って第1の端末に対応する好ましい挙動モードを判定するようにさらに構成され、
送信ユニットは、基地局が好ましい挙動モードが構成されることを許可する場合に、第1の端末が好ましい挙動モードを構成するようにするために、判定ユニットによって判定された好ましい挙動モードに関する情報を第1の端末に送信するように構成され、または
送信ユニットは、基地局が好ましい挙動モードが構成されることを許可しない場合に、第1の端末が、基地局が構成を許可する挙動モードおよび第1のパラメータに関する情報に従って構成を実行するようにするために、基地局が構成を許可する挙動モードおよび第1のパラメータに関する情報を第1の端末に送信するようにさらに構成され、第1のパラメータは、基地局が構成を許可する挙動モードが第1の端末の好ましい挙動モードになることを可能にするパラメータである。
【００４６】
第4の態様の第3の可能な実施の形では、第4の態様の第2の可能な実施の形に関して、判定ユニットは、
少なくとも1つのタイプの第3の識別子の各タイプの第3の識別子の量をカウントすることと、
少なくとも1つのタイプの識別子の各タイプの第3の識別子の量に従って、第4の識別子を判定することであって、第4の識別子は、少なくとも1つのタイプの第3の識別子の中で識別子の最大の量を有する識別子のタイプである、判定することと、
第4の識別子に従って第4の識別子に対応する好ましい挙動モードを判定し、好ましい挙動モードが第1の端末に対応する好ましい挙動モードであると判定することと
を行うように特に構成される。
【００４７】
第4の態様の第4の可能な実施の形では、第4の態様の第3の可能な実施の形に関して、第1/第2の端末が測定レポートをトリガしまたは送信する瞬間と第1のタイマとの間のタイミング関係は、
第1のタイマが始動される前に第1/第2の端末が測定レポートをトリガしまたは送信する、第1の関係
または
第1のタイマの作動中に第1/第2の端末が測定レポートをトリガしまたは送信する、第2の関係
または
第1のタイマが満了する時に第1/第2の端末がまだ測定レポートをトリガまたは送信していない、第3の関係
を含む。
【００４８】
第4の態様の第5の可能な実施の形では、第4の態様の第4の可能な実施の形に関して、第1の端末に対応する好ましい挙動モードは、
第1の関係が発生する時に、第1のタイマに関して第1の端末によって構成されるタイマ長が、第1のタイマ長であり、第1のタイマが満了する時に、第1の端末が、接続再確立を開始し、
第2の関係または第3の関係が発生する時に、第1のタイマに関して第1の端末によって構成されるタイマ長が、第2のタイマ長であり、第1のタイマが満了する時に、第1の端末が、接続再確立を開始する
を含む第1の挙動モード
または
第1のタイマに関して第1の端末によって構成されるタイマ長が、第2のタイマ長であり、
第2の関係が発生し、第1の端末が測定レポートをトリガしまたは送信する時に、第1の端末が、作動中の第1のタイマを終了し、接続再確立を開始し、
第1の関係または第3の関係が発生し、第1のタイマが満了する時に、第1の端末が、接続再確立を開始する
を含む第2の挙動モード
または
第1の関係が発生する時に、第1のタイマに関して第1の端末によって構成されるタイマ長が、第1のタイマ長であり、第1のタイマが満了する時に、第1の端末が、接続再確立を開始し、
第2の関係が発生する時に、第1のタイマに関して第1の端末によって構成されるタイマ長が、第2のタイマ長であり、第1の端末が測定レポートをトリガしまたは送信する時に、第1の端末が、作動中の第1のタイマを終了し、接続再確立を開始し、
第3の関係が発生する時に、第1のタイマに関して第1の端末によって構成されるタイマ長が、第2のタイマ長であり、第1のタイマが満了する時に、第1の端末が、接続再確立を開始する
を含む第3の挙動モード、または
第1のタイマに関して第1の端末によって構成されるタイマ長が、第2のタイマ長であり、
第1のタイマが満了する時に、第1の端末が接続再確立を開始する
を含む第4の挙動モード
を特に含む。
【００４９】
第4の態様の第6の可能な実施の形では、第4の態様の第5の可能な実施の形に関して、第4の識別子は、第1の関係を特に表し、
判定ユニットは、
第4の識別子に従って、第4の識別子に対応する好ましい挙動モードが、第1の挙動モードまたは第3の挙動モードであることを判定する
ように特に構成され、
送信ユニットは、
基地局が、第1の挙動モードが構成されることを許可する場合に、第1の端末が第1の挙動モードを構成するようにするために、第1の挙動モードに関する情報を第1の端末に送信し、または、
基地局が、第3の挙動モードが構成されることを許可する場合に、第1の端末が第3の挙動モードを構成するようにするために、第3の挙動モードに関する情報を第1の端末に送信する
ように特に構成される。
【００５０】
第4の態様の第7の可能な実施の形では、第4の態様の第6の可能な実施の形に関して、送信ユニットは、
基地局が、第1の挙動モードが構成されることを許可せず、第3の挙動モードが構成されることを許可しないが、第4の挙動モードおよび第2の挙動モードが構成されることを許可する場合に、第1の端末が、第4の挙動モードおよび第1のパラメータに関する情報に従って構成を実行するようにするために、第4の挙動モードおよび第1のパラメータに関する情報を第1の端末に送信し
または
第1の端末が、第2の挙動モードおよび第1のパラメータに関する情報に従って構成を実行するようにするために、第2の挙動モードおよび第1のパラメータに関する情報を第1の端末に送信する
ようにさらに特に構成される。
【００５１】
第4の態様の第8の可能な実施の形では、第4の態様の第5の可能な実施の形に関して、第4の識別子は、第2の関係を特に表し、
判定ユニットは、
第4の識別子に従って、第4の識別子に対応する好ましい挙動モードが第2の挙動モードまたは第3の挙動モードであることを判定する
ように特に構成され、
送信ユニットは、
基地局が、第2の挙動モードが構成されることを許可する場合に、第1の端末が第2の挙動モードを構成するようにするために、第2の挙動モードに関する情報を第1の端末に送信し、
基地局が、第3の挙動モードが構成されることを許可する場合に、第1の端末が第3の挙動モードを構成するようにするために、第3の挙動モードに関する情報を第1の端末に送信する
ように特に構成される。
【００５２】
第4の態様の第9の可能な実施の形では、第4の態様の第8の可能な実施の形に関して、送信ユニットは、
基地局が、第2の挙動モードが構成されることを許可せず、第3の挙動モードが構成されることを許可しないが、第4の挙動モードおよび第1の挙動モードが構成されることを許可する場合に、第1の端末が第4の挙動モードおよび第1のパラメータに関する情報に従って構成を実行するようにするために、第4の挙動モードおよび第1のパラメータに関する情報を第1の端末に送信し
または
第1の端末が、第1の挙動モードおよび第1のパラメータに関する情報に従って構成を実行するようにするために、第1の挙動モードおよび第1のパラメータに関する情報を第1の端末に送信する
ようにさらに特に構成される。
【００５３】
第4の態様の第10の可能な実施の形では、第4の態様の第5の可能な実施の形に関して、第4の識別子は、第3の関係を特に表し、
判定ユニットは、
第4の識別子の量が、第5の識別子の量と第6の識別子の量との合計より多くはない場合に、第4の識別子に対応する好ましい挙動モードが、第3の挙動モードであると判定し、第5の識別子および第6の識別子のうちの一方の識別子は、第2の関係に対応し、他方の識別子は、第1の関係に対応する
ように特に構成され、
送信ユニットは、
基地局が、第3の挙動モードが構成されることを許可する場合に、第1の端末が第3の挙動モードを構成するようにするために、第3の挙動モードに関する情報を第1の端末に送信する
ように特に構成される。
【００５４】
第4の態様の第11の可能な実施の形では、第4の態様の第10の可能な実施の形に関して、送信ユニットは、
基地局が、第3の挙動モードが構成されることを許可しないが、第4の挙動モードおよび第1の挙動モードが構成されることを許可する場合に、第1の端末が、第4の挙動モードおよび第1のパラメータに関する情報に従って構成を実行するようにするために、第4の挙動モードおよび第1のパラメータに関する情報を第1の端末に送信し、
または
第1の端末が第1の挙動モードおよび第1のパラメータに関する情報に従って構成を実行するようにするために、第1の挙動モードおよび第1のパラメータに関する情報を第1の端末に送信する
ようにさらに特に構成され、
あるいは、送信ユニットは、
基地局が、第3の挙動モードが構成されることを許可しないが、第4の挙動モードおよび第2の挙動モードが構成されることを許可する場合に、第1の端末が第4の挙動モードおよび第1のパラメータに関する情報に従って構成を実行するようにするために、第4の挙動モードおよび第1のパラメータに関する情報を第1の端末に送信し
または
第1の端末が第2の挙動モードおよび第1のパラメータに関する情報に従って構成を実行するようにするために、第2の挙動モードおよび第1のパラメータに関する情報を第1の端末に送信する
ようにさらに特に構成される。
【００５５】
第4の態様の第12の可能な実施の形では、第4の態様の第2の可能な実施の形から第4の態様の第11の可能な実施の形までに関して、入手ユニットは、
判定ユニットが、少なくとも1つのタイプの識別子に従って第1の端末に対応する好ましい挙動モードを判定する前に、第2の端末によって報告された第1の時間長または第2の時間長を入手するようにさらに構成され、第1の時間長は、第2の端末が測定レポートをトリガしまたは送信する瞬間と第1のタイマが始動される瞬間との間の時間長であり、第2の時間長は、第2の端末が測定レポートをトリガしまたは送信する瞬間と第1のタイマが満了する瞬間との間の時間長であり、
第1のパラメータは、
第1の時間長または第2の時間長に従って判定されるパラメータ
を特に含む。
【００５６】
第4の態様の第13の可能な実施の形では、第4の態様から第4の態様の第12の可能な実施の形に関して、第1の端末が接続再確立を開始する瞬間と第1のタイマとの間のタイミング関係は、
第1のタイマが満了する時に、第1の端末が、接続再確立を開始し、第1のタイマに関して現在構成されているタイマ長が、第1のタイマ長である、第4の関係
または
第1のタイマが満了する時に、第1の端末が、接続再確立を開始し、第1のタイマに関して現在構成されているタイマ長が、第2のタイマ長であり、第1のタイマ長および第2のタイマ長が、異なる、第5の関係
または
第1のタイマの作動中に、第1の端末が、接続再確立を開始し、第1のタイマに関して現在構成されているタイマ長が、第2のタイマ長である、第6の関係
を特に含む。
【００５７】
第5の態様によれば、第1の端末が提供され、第1の端末は、プロセッサおよびセンダを含み、
プロセッサは、第1の情報を入手するように構成され、第1の情報は、中断遅延、または第1の識別子、または第2の識別子を含み、第1の識別子は、第1の端末が測定レポートをトリガしまたは送信する瞬間と第1のタイマとの間のタイミング関係を表し、第2の識別子は、第1の端末が接続再確立を開始する瞬間と第1のタイマとの間のタイミング関係を表し、
センダは、プロセッサによって入手された第1の情報を基地局に送信するように構成される。
【００５８】
第5の態様の第1の可能な実施の形では、第5の態様に関して、センダは、
第1の情報を基地局に送信するように特に構成され、基地局は、中断遅延に従って、または第1の識別子によって決定される中断遅延に従って、または第2の識別子によって決定される中断遅延に従って、基地局の現在の構成が所定のサービス品質を満足できるのかどうかを判定する。
【００５９】
第5の態様の第2の可能な実施の形では、第5の態様または第5の態様の第1の可能な実施の形に関して、プロセッサは、
第1の情報を入手する前に、第1の端末の構成情報を入手するようにさらに特に構成され、第1の端末の構成情報は、第2の端末によって報告される第3の識別子に従って基地局によって判定され、第3の識別子は、第2の端末が測定レポートをトリガしまたは送信する瞬間と第1のタイマとの間のタイミング関係を表し、第1の端末の構成情報は、少なくとも、第1の端末のために構成される挙動モードに関する情報を含み、
プロセッサは、
第1の端末の入手された構成情報に従って構成を実行する
ようにさらに構成され、
プロセッサは、
第1の情報が中断遅延である場合に、第1の端末のために構成される挙動モードに従って中断遅延を入手する
ようにさらに特に構成され、
プロセッサは、
第1の情報が第1の識別子である場合に、端末が測定レポートをトリガしまたは送信する瞬間と第1のタイマとの間のタイミング関係と第1の識別子との間の事前に記憶された対応に従って第1の識別子を入手する
ようにさらに特に構成され、
プロセッサは、
第1の情報が第2の識別子である場合に、端末が接続再確立を開始する瞬間と第1のタイマとの間のタイミング関係と第2の識別子との間の事前に記憶された対応に従って第2の識別子を入手する
ようにさらに特に構成される。
【００６０】
第5の態様の第3の可能な実施の形では、第5の態様の第2の可能な実施の形に関して、第1の端末の構成情報は、第2の端末によって報告される第1の時間長または第2の時間長に従って基地局によってさらに判定され、第1の時間長は、第2の端末が測定レポートをトリガしまたは送信する瞬間と第1のタイマが始動される瞬間との間の時間長であり、第2の時間長は、第2の端末が測定レポートをトリガしまたは送信する瞬間と第1のタイマが満了する瞬間との間の時間長である。
【００６１】
第5の態様の第4の可能な実施の形では、第5の態様の第2の可能な実施の形または第5の態様の第3の可能な実施の形に関して、第1/第2の端末が測定レポートをトリガしまたは送信する瞬間と第1のタイマとの間のタイミング関係は、
第1のタイマが始動される前に第1/第2の端末が測定レポートをトリガしまたは送信する第1の関係
または
第1のタイマの作動中に第1/第2の端末が測定レポートをトリガしまたは送信する第2の関係
または
第1のタイマが満了する時に第1/第2の端末がまだ測定レポートをトリガまたは送信していない第3の関係
を含む。
【００６２】
第5の態様の第5の可能な実施の形では、第5の態様の第4の可能な実施の形に関して、第1の端末のために構成される挙動モードは、
第1の関係が発生する時に、第1のタイマに関して第1の端末によって構成されるタイマ長が、第1のタイマ長であり、第1のタイマが満了する時に、第1の端末が、接続再確立を開始し、
第2の関係または第3の関係が発生する時に、第1のタイマに関して第1の端末によって構成されるタイマ長が、第2のタイマ長であり、第1のタイマが満了する時に、第1の端末が接続再確立を開始する
を含む第1の挙動モード
または
第1のタイマに関して第1の端末によって構成されるタイマ長が、第2のタイマ長であり、
第2の関係が発生し、第1の端末が測定レポートをトリガしまたは送信する時に、第1の端末が、作動中の第1のタイマを終了し、接続再確立を開始し、
第1の関係または第3の関係が発生し、第1のタイマが満了する時に、第1の端末が接続再確立を開始する
を含む第2の挙動モード
または
第1の関係が発生する時に、第1のタイマに関して第1の端末によって構成されるタイマ長が、第1のタイマ長であり、第1のタイマが満了する時に、第1の端末が、接続再確立を開始し、
第2の関係が発生する時に、第1のタイマに関して第1の端末によって構成されるタイマ長が、第2のタイマ長であり、第1の端末が、測定レポートをトリガしまたは送信する時に、第1の端末が、作動中の第1のタイマを終了し、接続再確立を開始し、
第3の関係が発生する時に、第1のタイマに関して第1の端末によって構成されるタイマ長が、第2のタイマ長であり、第1のタイマが、満了する時に、第1の端末が、接続再確立を開始する
を含む第3の挙動モード、または
第1のタイマに関して第1の端末によって構成されるタイマ長が、第2のタイマ長であり、
第1のタイマが満了する時に、第1の端末が、接続再確立を開始する
を含む第4の挙動モード
を特に含む。
【００６３】
第5の態様の第6の可能な実施の形では、第5の態様の第5の可能な実施の形に関して、第1の端末のために構成される挙動モードが、第1の挙動モードである場合に、プロセッサは、
第1の関係が発生する時に、第1のタイマの第1のタイマ長が中断遅延であることを入手し、
第2の関係または第3の関係が発生する時に、第1のタイマの第2のタイマ長が中断遅延であることを入手する
ようにさらに特に構成される。
【００６４】
第5の態様の第7の可能な実施の形では、第5の態様の第5の可能な実施の形に関して、第1の端末のために構成される挙動モードが、第2の挙動モードである場合に、プロセッサは、
第2の関係が発生する時に、第1のタイマの作動時間長値が中断遅延であることを入手し、第1のタイマの作動時間長値は、第1のタイマが始動される瞬間と第1の端末が測定レポートをトリガしまたは送信する瞬間との間の時間長であり、
第1の関係または第3の関係が発生する時に、第1のタイマの第2の時間長が中断遅延であることを入手する
ようにさらに特に構成される。
【００６５】
第5の態様の第8の可能な実施の形では、第5の態様の第5の可能な実施の形に関して、第1の端末のために構成される挙動モードが、第3の挙動モードである場合に、プロセッサは、
第1の関係が発生する時に、第1のタイマの第1のタイマ長が中断遅延であることを入手することと、
第2の関係が発生する時に、第1のタイマの作動時間長値が中断遅延であることを入手することであって、第1のタイマの作動時間長値は、第1のタイマが始動される瞬間と第1の端末が測定レポートをトリガしまたは送信する瞬間との間の時間長である、入手することと、
第3の関係が発生する時に、第1のタイマの第2のタイマ長が中断遅延であることを入手することと
を行うようにさらに特に構成される。
【００６６】
第5の態様の第9の可能な実施の形では、第5の態様の第5の可能な実施の形に関して、第1の端末のために構成される挙動モードが、第4の挙動モードである場合に、プロセッサは、
第1のタイマの第2のタイマ長が中断遅延であることを入手する
ようにさらに特に構成される。
【００６７】
第5の態様の第10の可能な実施の形では、第5の態様から第5の態様の第9の可能な実施の形までに関して、第1の端末が接続再確立を開始する瞬間と第1のタイマとの間のタイミング関係は、
第1のタイマが満了する時に第1の端末が接続再確立を開始し、第1のタイマに関して現在構成されているタイマ長が第1のタイマ長である、第4の関係
または
第1のタイマが満了する時に第1の端末が接続再確立を開始し、第1のタイマに関して現在構成されているタイマ長が第2のタイマ長であり、第1のタイマ長および第2のタイマ長が異なる、第5の関係
または
第1のタイマの作動中に第1の端末が接続再確立を開始し、第1のタイマに関して現在構成されているタイマ長が第2のタイマ長である、第6の関係
を特に含む。
【００６８】
第6の態様によれば、基地局が提供され、基地局は、プロセッサおよびメモリを含み、
プロセッサは、第1の端末によって報告された第1の情報を入手するように構成され、第1の情報は、中断遅延、または第1の識別子、または第2の識別子を含み、第1の識別子は、第1の端末が測定レポートをトリガしまたは送信する瞬間と第1のタイマとの間のタイミング関係を表し、第2の識別子は、第1の端末が接続再確立を開始する瞬間と第1のタイマとの間のタイミング関係を表し、
メモリは、第1の情報を記憶するように構成され、
プロセッサは、第1の情報に従って、基地局の現在の構成が所定のサービス品質を満足できるのかどうかを判定するようにさらに構成される。
【００６９】
第6の態様の第1の可能な実施の形では、第6の態様に関して、プロセッサは、
第1の情報が中断遅延である場合に、中断遅延に従って、基地局の現在の構成が所定のサービス品質を満足できるのかどうかを判定する
ように特に構成され、または、
メモリは、第1の識別子と中断遅延との間の対応を記憶するようにさらに構成され、
プロセッサは、
第1の情報が第1の識別子である場合に、第1の識別子と中断遅延との間の事前に記憶された対応に従って第1の識別子に対応する中断遅延を入手し、
第1の識別子に対応する中断遅延に従って、基地局の現在の構成が所定のサービス品質を満足できるのかどうかを判定する
ようにさらに特に構成され、または
メモリは、第2の識別子と中断遅延との間の対応を記憶するようにさらに構成され、
プロセッサは、
第1の情報が第2の識別子である場合に、第2の識別子と中断遅延との間の事前に記憶された対応に従って第2の識別子に対応する中断遅延を入手し
第2の識別子に対応する中断遅延に従って、基地局の現在の構成が所定のサービス品質を満足できるのかどうかを判定する
ようにさらに特に構成される。
【００７０】
第6の態様の第2の可能な実施の形では、第6の態様または第6の態様の第1の可能な実施の形に関して、基地局は、センダをさらに含み、
プロセッサは、第1の端末によって報告された第1の情報を入手する前に、少なくとも1つのタイプの第3の識別子を入手するようにさらに構成され、第3の識別子は、第2の端末が測定レポートをトリガしまたは送信する瞬間と第1のタイマとの間のタイミング関係を表し、
プロセッサは、少なくとも1つのタイプの入手された第3の識別子に従って第1の端末に対応する好ましい挙動モードを判定するようにさらに構成され、
センダは、基地局が好ましい挙動モードが構成されることを許可する場合に、第1の端末が好ましい挙動モードを構成するようにするために、判定ユニットによって判定された好ましい挙動モードに関する情報を第1の端末に送信するように構成され、
センダは、基地局が好ましい挙動モードが構成されることを許可しない場合に、第1の端末が、基地局が構成を許可する挙動モードおよび第1のパラメータに関する情報に従って構成を実行するようにするために、基地局が構成を許可する挙動モードおよび第1のパラメータに関する情報を第1の端末に送信するようにさらに構成され、第1のパラメータは、基地局が構成を許可する挙動モードが第1の端末の好ましい挙動モードになることを可能にするパラメータである。
【００７１】
第6の態様の第3の可能な実施の形では、第6の態様の第2の可能な実施の形に関して、プロセッサは、
少なくとも1つのタイプの第3の識別子の各タイプの第3の識別子の量をカウントすることと、
少なくとも1つのタイプの識別子の各タイプの第3の識別子の量に従って、第4の識別子を判定することであって、第4の識別子は、少なくとも1つのタイプの第3の識別子の中で識別子の最大の量を有する識別子のタイプである、判定することと、
第4の識別子に従って第4の識別子に対応する好ましい挙動モードを判定し、好ましい挙動モードが第1の端末に対応する好ましい挙動モードであると判定することと
を行うように特に構成される。
【００７２】
第6の態様の第4の可能な実施の形では、第6の態様の第3の可能な実施の形に関して、第1/第2の端末が測定レポートをトリガしまたは送信する瞬間と第1のタイマのとの間のタイミング関係は、
第1のタイマが始動される前に第1/第2の端末が測定レポートをトリガしまたは送信する、第1の関係
または
第1のタイマの作動中に第1/第2の端末が測定レポートをトリガしまたは送信する、第2の関係
または
第1のタイマが満了する時に第1/第2の端末がまだ測定レポートをトリガまたは送信していない、第3の関係
を含む。
【００７３】
第6の態様の第5の可能な実施の形では、第6の態様の第4の可能な実施の形に関して、第1の端末に対応する好ましい挙動モードは、
第1の関係が発生する時に、第1のタイマに関して第1の端末によって構成されるタイマ長が、第1のタイマ長であり、第1のタイマが満了する時に、第1の端末が、接続再確立を開始し、
第2の関係または第3の関係が発生する時に、第1のタイマに関して第1の端末によって構成されるタイマ長が、第2のタイマ長であり、第1のタイマが満了する時に、第1の端末が、接続再確立を開始する
を含む第1の挙動モード
または
第1のタイマに関して第1の端末によって構成されるタイマ長が、第2のタイマ長であり、
第2の関係が発生し、第1の端末が測定レポートをトリガしまたは送信する時に、第1の端末が、作動中の第1のタイマを終了し、接続再確立を開始し、
第1の関係または第3の関係が発生し、第1のタイマが満了する時に、第1の端末が、接続再確立を開始する
を含む第2の挙動モード
または
第1の関係が発生する時に、第1のタイマに関して第1の端末によって構成されるタイマ長が、第1のタイマ長であり、第1のタイマが満了する時に、第1の端末が、接続再確立を開始し、
第2の関係が発生する時に、第1のタイマに関して第1の端末によって構成されるタイマ長が、第2のタイマ長であり、第1の端末が測定レポートをトリガしまたは送信する時に、第1の端末が、作動中の第1のタイマを終了し、接続再確立を開始し、
第3の関係が発生する時に、第1のタイマに関して第1の端末によって構成されるタイマ長が、第2のタイマ長であり、第1のタイマが満了する時に、第1の端末が、接続再確立を開始する
を含む第3の挙動モード、または
第1のタイマに関して第1の端末によって構成されるタイマ長が、第2のタイマ長であり、
第1のタイマが満了する時に、第1の端末が接続再確立を開始する
を含む第4の挙動モード
を特に含む。
【００７４】
第6の態様の第6の可能な実施の形では、第6の態様の第5の可能な実施の形に関して、第4の識別子は、第1の関係を特に表し、
プロセッサは、
第4の識別子に従って、第4の識別子に対応する好ましい挙動モードが、第1の挙動モードまたは第3の挙動モードであることを判定する
ように特に構成され、
センダは、
基地局が、第1の挙動モードが構成されることを許可する場合に、第1の端末が第1の挙動モードを構成するようにするために、第1の挙動モードに関する情報を第1の端末に送信し、または
基地局が、第3の挙動モードが構成されることを許可する場合に、第1の端末が第3の挙動モードを構成するようにするために、第3の挙動モードに関する情報を第1の端末に送信する
ように特に構成される。
【００７５】
第6の態様の第7の可能な実施の形では、第6の態様の第6の可能な実施の形に関して、センダは、
基地局が、第1の挙動モードが構成されることを許可せず、第3の挙動モードが構成されることを許可しないが、第4の挙動モードおよび第2の挙動モードが構成されることを許可する場合に、第1の端末が、第4の挙動モードおよび第1のパラメータに関する情報に従って構成を実行するようにするために、第4の挙動モードおよび第1のパラメータに関する情報を第1の端末に送信し、
または
第1の端末が、第2の挙動モードおよび第1のパラメータに関する情報に従って構成を実行するようにするために、第2の挙動モードおよび第1のパラメータに関する情報を第1の端末に送信する
ようにさらに特に構成される。
【００７６】
第6の態様の第8の可能な実施の形では、第6の態様の第5の可能な実施の形に関して、第4の識別子は、第2の関係を特に表し、
プロセッサは、
第4の識別子に従って、第4の識別子に対応する好ましい挙動モードが第2の挙動モードまたは第3の挙動モードであることを判定する
ように特に構成され、
センダは、
基地局が、第2の挙動モードが構成されることを許可する場合に、第1の端末が第2の挙動モードを構成するようにするために、第2の挙動モードに関する情報を第1の端末に送信し、または、
基地局が、第3の挙動モードが構成されることを許可する場合に、第1の端末が第3の挙動モードを構成するようにするために、第3の挙動モードに関する情報を第1の端末に送信する
ように特に構成される。
【００７７】
第6の態様の第9の可能な実施の形では、第6の態様の第8の可能な実施の形に関して、センダは、
基地局が、第2の挙動モードが構成されることを許可せず、第3の挙動モードが構成されることを許可しないが、第4の挙動モードおよび第1の挙動モードが構成されることを許可する場合に、第1の端末が第4の挙動モードおよび第1のパラメータに関する情報に従って構成を実行するようにするために、第4の挙動モードおよび第1のパラメータに関する情報を第1の端末に送信し、
または
第1の端末が、第1の挙動モードおよび第1のパラメータに関する情報に従って構成を実行するようにするために、第1の挙動モードおよび第1のパラメータに関する情報を第1の端末に送信する
ように特に構成される。
【００７８】
第6の態様の第10の可能な実施の形では、第6の態様の第5の可能な実施の形に関して、第4の識別子は、第3の関係を特に表し、
プロセッサは、
第4の識別子の量が、第5の識別子の量と第6の識別子の量との合計より多くはない場合に、第4の識別子に対応する好ましい挙動モードが、第3の挙動モードであると判定するように特に構成され、第5の識別子および第6の識別子のうちの一方の識別子は、第2の関係に対応し、他方の識別子は、第1の関係に対応し、
センダは、
基地局が、第3の挙動モードが構成されることを許可する場合に、第1の端末が第3の挙動モードを構成するようにするために、第3の挙動モードに関する情報を第1の端末に送信する
ように特に構成される。
【００７９】
第6の態様の第11の可能な実施の形では、第6の態様の第10の可能な実施の形に関して、センダは、
基地局が、第3の挙動モードが構成されることを許可しないが、第4の挙動モードおよび第1の挙動モードが構成されることを許可する場合に、第1の端末が、第4の挙動モードおよび第1のパラメータに関する情報に従って構成を実行するようにするために、第4の挙動モードおよび第1のパラメータに関する情報を第1の端末に送信し、
または
第1の端末が第1の挙動モードおよび第1のパラメータに関する情報に従って構成を実行するようにするために、第1の挙動モードおよび第1のパラメータに関する情報を第1の端末に送信する
ようにさらに特に構成され、
あるいは、センダは、
基地局が、第3の挙動モードが構成されることを許可しないが、第4の挙動モードおよび第2の挙動モードが構成されることを許可する場合に、第1の端末が第4の挙動モードおよび第1のパラメータに関する情報に従って構成を実行するようにするために、第4の挙動モードおよび第1のパラメータに関する情報を第1の端末に送信し、
または
第1の端末が第2の挙動モードおよび第1のパラメータに関する情報に従って構成を実行するようにするために、第2の挙動モードおよび第1のパラメータに関する情報を第1の端末に送信する
ようにさらに特に構成される。
【００８０】
第6の態様の第12の可能な実施の形では、第6の態様の第2の可能な実施の形から第6の態様の第11の可能な実施の形までに関して、プロセッサは、
少なくとも1つのタイプの識別子に従って第1の端末に対応する好ましい挙動モードを判定する前に、第2の端末によって報告された第1の時間長または第2の時間長を入手するようにさらに構成され、第1の時間長は、第2の端末が測定レポートをトリガしまたは送信する瞬間と第1のタイマが始動される瞬間との間の時間長であり、第2の時間長は、第2の端末が測定レポートをトリガしまたは送信する瞬間と第1のタイマが満了する瞬間との間の時間長であり、
第1のパラメータは、
第1の時間長または第2の時間長に従って判定されるパラメータ
を特に含む。
【００８１】
第6の態様の第13の可能な実施の形では、第6の態様から第6の態様の第12の可能な実施の形までに関して、第1の端末が接続再確立を開始する瞬間と第1のタイマとの間のタイミング関係は、
第1のタイマが満了する時に、第1の端末が、接続再確立を開始し、第1のタイマに関して現在構成されているタイマ長が、第1のタイマ長である、第4の関係
または
第1のタイマが満了する時に、第1の端末が、接続再確立を開始し、第1のタイマに関して現在構成されているタイマ長が、第2のタイマ長であり、第1のタイマ長および第2のタイマ長が、異なる、第5の関係
または
第1のタイマの作動中に、第1の端末が、接続再確立を開始し、第1のタイマに関して現在構成されているタイマ長が、第2のタイマ長である、第6の関係
を特に含む。
【００８２】  本発明の実施形態は、端末情報報告方法および関連するデバイスを提供し、この方法は、第1の情報を入手した後に、第1の端末によって第1の情報を基地局に送信するステップであって、第1の情報は、中断遅延、または第1の識別子、または第2の識別子を含み、第1の識別子は、第1の端末が測定レポートをトリガしまたは送信する瞬間と第1のタイマとの間のタイミング関係を表し、第2の識別子は、第1の端末が接続再確立を開始する瞬間と第1のタイマとの間のタイミング関係を表す、送信するステップと、基地局によって、第1の情報を入手し、第1の情報に従って、基地局の現在の構成が所定のサービス品質を満足できるのかどうかを判定するステップとを含む。基地局の現在の構成が、所定のサービス品質を満足することができない場合には、現在の構成パラメータおよび現在の構成ポリシーは、サービス品質を改善するために調整され得る。
【図面の簡単な説明】
【００８３】
【図１】本発明の実施形態による端末情報報告方法を示す図である。
【図２】本発明の実施形態による、端末が測定レポートをトリガしまたは送信する瞬間と第1のタイマとの間の第1のタイミング関係を表す概略図である。
【図３】本発明の実施形態による、端末が測定レポートをトリガしまたは送信する瞬間と第1のタイマとの間の第2のタイミング関係を表す概略図である。
【図４】本発明の実施形態による、端末が測定レポートをトリガしまたは送信する瞬間と第1のタイマとの間の第3のタイミング関係を表す概略図である。
【図５】本発明の実施形態による、もう1つの端末情報報告方法を示す図である。
【図６】本発明の実施形態による、もう1つの端末情報報告方法を示す図である。
【図７】本発明の実施形態による、第1の関係が発生する時の第1の端末の挙動を示す図である。
【図８】本発明の実施形態による、第2の関係または第3の関係が第1の挙動モードにおいて発生する時の第1の端末の挙動を示す図である。
【図９】本発明の実施形態による、第2の関係が発生する時の第1の端末の挙動を示す図である。
【図１０】本発明の実施形態による、第1の関係または第3の関係が第2の挙動モードにおいて発生する時の第1の端末の挙動を示す図である。
【図１１】本発明の実施形態による、第3の関係が第3の挙動モードにおいて発生する時の第1の端末の挙動を示す図である。
【図１２】本発明の実施形態による、第4の挙動モードにおける第1の端末の挙動を示す図である。
【図１３】本発明の実施形態による、もう1つの端末情報報告方法を示す図である。
【図１４】本発明の実施形態による、もう1つの端末情報報告方法を示す図である。
【図１５】本発明の実施形態による、第1の端末を示す概略構造図である。
【図１６】本発明の実施形態による、もう1つの第1の端末を示す概略構造図である。
【図１７】本発明の実施形態による、基地局を示す概略構造図である。
【図１８】本発明の実施形態による、もう1つの基地局を示す概略構造図である。
【図１９】本発明の実施形態による、第1の端末を示す概略構造図である。
【図２０】本発明の実施形態による、基地局を示す概略構造図である。
【図２１】本発明の実施形態による、もう1つの基地局を示す概略構造図である。
【発明を実施するための形態】
【００８４】
以下では、本発明の実施形態において、添付図面を参照して本発明の実施形態における技術的解決策を明瞭かつ完全に説明する。明らかに、説明される実施形態は、単に、本発明の実施形態のすべてではなく一部である。創作的労力を伴わずに本発明の実施形態に基づいて当業者によって入手されるすべての他の実施形態は、本発明の保護範囲に含まれなければならない。
【００８５】
実施形態１
本発明の実施形態は、端末情報報告方法を提供し、具体的には、図1に示されているように、この方法は、以下を含む。
【００８６】
101  第1の端末が、第1の情報を入手し、第1の情報は、中断遅延、または第1の識別子、または第2の識別子を含み、第1の識別子は、第1の端末が測定レポートをトリガしまたは送信する瞬間と第1のタイマとの間のタイミング関係を表し、第2の識別子は、第1の端末が接続再確立を開始する瞬間と第1のタイマとの間のタイミング関係を表す。
【００８７】
具体的には、端末通信プロセスにおいて、端末が、測定によって、サービングセルのチャネル条件がある範囲まで劣化すると判定する時に、その端末は、T310を始動し、T310は、端末によって維持されるタイマであり、本発明のこの実施形態において提供される第1のタイマでもある。端末がT310を始動した後に、端末とサービングセルとの間の通信は、基本的に、正常には実行され得ず、中断状態に近い、すなわち、中断遅延が生成される。中断遅延は、サービス品質に直接に関係する。基地局が、中断遅延の長さを学習できない場合には、基地局は、サービス品質に対する制御を失い、現在の構成パラメータまたは現在の構成ポリシーが所定のサービス品質を満足できるのかどうかを知ることができず、さらに、サービス品質を改善するために現在の構成パラメータまたは現在の構成ポリシーを調整することができない。
【００８８】
具体的には、第1の端末は、中断遅延を直接に入手し、中断遅延を基地局に送信することができ、第1の端末は、まず第1の識別子を入手することもでき、第1の識別子は、第1の端末が測定レポートをトリガしまたは送信する瞬間と第1のタイマとの間のタイミング関係を表し、その後、基地局は、第1の識別子と中断遅延との間の事前に記憶された対応に従って第1の識別子に対応する中断遅延を入手し、第1の端末は、さらに、まず第2の識別子を入手することができ、第2の識別子は、第1の端末が接続再確立を開始する瞬間と第1のタイマとの間のタイミング関係を表し、その後、基地局は、第2の識別子と中断遅延との間の事前に記憶された対応に従って第2の識別子に対応する中断遅延を入手する。本発明のこの実施形態は、これに特に限定はされない。
【００８９】
具体的には、第1の端末が測定レポートをトリガしまたは送信する瞬間と第1のタイマとの間のタイミング関係は、
第1のタイマが始動される前に第1の端末が測定レポートをトリガしまたは送信する、図2に示された第1の関係
または
第1のタイマの作動中に第1の端末が測定レポートをトリガしまたは送信する、図3に示された第2の関係
または
第1のタイマが満了する時に第1の端末がまだ測定レポートをトリガまたは送信していない、図4に示された第3の関係
を特に含むことができる。
【００９０】
第1の端末が接続再確立を開始する瞬間と第1のタイマとの間のタイミング関係は、
第1のタイマが満了する時に第1の端末が接続再確立を開始し、第1のタイマに関して現在構成されているタイマ長が第1のタイマ長である、第4の関係
または
第1のタイマが満了する時に第1の端末が接続再確立を開始し、第1のタイマに関して現在構成されているタイマ長が第2のタイマ長であり、第1のタイマ長および第2のタイマ長が異なる、第5の関係
または
第1のタイマの作動中に第1の端末が接続再確立を開始し、第1のタイマに関して現在構成されているタイマ長が第2のタイマ長である、第6の関係
を特に含むことができる。
【００９１】
T310が、本発明のこの実施形態において提供される特定の第1のタイマにすぎず、確かに、第1のタイマが、さらに、本発明のこの実施形態において特に限定はされない別のタイプのタイマとされ得ることに留意されたい。
【００９２】
102  第1の端末が、第1の情報を基地局に送信する。
【００９３】
具体的には、第1の情報を入手した後に、第1の端末は、第1の情報を基地局に送信し、基地局は、中断遅延に従って、または第1の識別子によって決定される中断遅延に従って、または第2の識別子によって決定される中断遅延に従って、基地局の現在の構成が所定のサービス品質を満足できるのかどうかを判定し、基地局の現在の構成が、所定のサービス品質を満足することができない場合には、基地局の現在の構成パラメータまたは構成ポリシーが、現在のサービス品質を改善するために調整され得る。
【００９４】
確かに、基地局への第1の情報の送信は、本発明のこの実施形態において特に限定はされない別の技術的問題をも解決することができる。
【００９５】
本発明の実施形態は、端末情報報告方法をさらに提供し、具体的には、図5に示されているように、この方法は、以下を含む。
【００９６】
501  基地局が、第1の端末によって報告された第1の情報を入手し、第1の情報は、中断遅延、または第1の識別子、または第2の識別子を含み、第1の識別子は、第1の端末が測定レポートをトリガしまたは送信する瞬間と第1のタイマとの間のタイミング関係を表し、第2の識別子は、第1の端末が接続再確立を開始する瞬間と第1のタイマとの間のタイミング関係を表す。
【００９７】
具体的には、基地局は、第1の端末によって報告された第1の情報を入手することができ、第1の情報は、中断遅延を含むことができ、第1の情報は、第1の識別子を含むこともでき、第1の識別子は、第1の端末が測定レポートをトリガしまたは送信する瞬間と第1のタイマとの間のタイミング関係を表し、第1の情報は、第2の識別子をさらに含むことができ、第2の識別子は、第1の端末が接続再確立を開始する瞬間と第1のタイマとの間のタイミング関係を表し、これは、本発明のこの実施形態において特に限定はされない。
【００９８】
具体的には、第1の端末が測定レポートをトリガしまたは送信する瞬間と第1のタイマとの間のタイミング関係は、
第1のタイマが始動される前に第1の端末が測定レポートをトリガしまたは送信する、図2に示された第1の関係
または
第1のタイマの作動中に第1の端末が測定レポートをトリガしまたは送信する、図3に示された第2の関係
または
第1のタイマが満了する時に第1の端末がまだ測定レポートをトリガまたは送信していない、図4に示された第3の関係
を特に含むことができる。
【００９９】
第1の端末が接続再確立を開始する瞬間と第1のタイマとの間のタイミング関係は、
第1のタイマが満了する時に、第1の端末が、接続再確立を開始し、第1のタイマに関して現在構成されているタイマ長が、第1のタイマ長である、第4の関係
または
第1のタイマが満了する時に、第1の端末が、接続再確立を開始し、第1のタイマに関して現在構成されているタイマ長が、第2のタイマ長であり、第1のタイマ長および第2のタイマ長が、異なる、第5の関係
または
第1のタイマの作動中に、第1の端末が、接続再確立を開始し、第1のタイマに関して現在構成されているタイマ長が、第2のタイマ長である、第6の関係
を特に含むことができる。
【０１００】
502  基地局が、第1の情報に従って、基地局の現在の構成が所定のサービス品質を満足できるのかどうかを判定する。
【０１０１】
具体的には、第1の情報を入手した後に、基地局は、第1の情報に従って、基地局の現在の構成が所定のサービス品質を満足できるのかどうかを判定することができ、この判定は、特に、
第1の情報が中断遅延である場合に、中断遅延に従って、基地局の現在の構成が所定のサービス品質を満足できるのかどうかを判定するステップ、または、
第1の情報が第1の識別子である場合に、第1の識別子と中断遅延との間の事前に記憶された対応に従って第1の識別子に対応する中断遅延を入手するステップと、
第1の識別子に対応する中断遅延に従って、基地局の現在の構成が所定のサービス品質を満足できるのかどうかを判定するステップ、または、
第1の情報が第2の識別子である場合に、第2の識別子と中断遅延との間の事前に記憶された対応に従って第2の識別子に対応する中断遅延を入手するステップと、
第2の識別子に対応する中断遅延に従って、基地局の現在の構成が所定のサービス品質を満足できるのかどうかを判定するステップと
することができる。
【０１０２】
本発明のこの実施形態は、第1の情報に従って、基地局の現在の構成が所定のサービス品質を満足できるのかどうかを判定する方法を例示的に提供するのみであり、確かに、第1の情報に従って、基地局の現在の構成が所定のサービス品質を満足できるのかどうかを判定する別の方法も、存在する可能性があり、これは、本発明のこの実施形態において特に限定はされない。
【０１０３】
基地局の現在の構成が、所定のサービス品質を満足することができない場合に、基地局の現在の構成パラメータまたは構成ポリシーが、現在のサービス品質を改善するために調整され得、これが、本発明のこの実施形態において特に限定はされないことを了解することは、当業者にとって簡単である。
【０１０４】
前述の実施形態の説明に基づいて、本発明のこの実施形態において、第1の端末が第1の情報を入手し、第1の情報を基地局に送信する方法は、基地局が、第1の情報を入手することと、第1の情報に従って、基地局の現在の構成が所定のサービス品質を満足できるのかどうかを判定することとを可能にし、さらに、基地局の現在の構成が所定のサービス品質を満足することができない場合には、現在の構成パラメータおよび現在の構成ポリシーが、サービス品質を改善するために調整され得、第1の情報は、中断遅延、または第1の識別子、または第2の識別子を含み、第1の識別子は、第1の端末が測定レポートをトリガしまたは送信する瞬間と第1のタイマとの間のタイミング関係を表し、第2の識別子は、第1の端末が接続再確立を開始する瞬間と第1のタイマとの間のタイミング関係を表す。
【０１０５】
実施形態２
本発明の実施形態は、端末情報報告方法を提供し、具体的には、図6に示されているように、この方法は、以下を含む。
【０１０６】
601  基地局が、少なくとも1つのタイプの第3の識別子を入手し、第3の識別子は、第2の端末が測定レポートをトリガしまたは送信する瞬間と第1のタイマとの間のタイミング関係を表す。
【０１０７】
具体的には、第1の端末のために構成されるべき挙動モードを判定する前に、基地局は、複数の端末の第3の識別子を入手し、その後、入手された第3の識別子の統計結果に従って、構成されるべき挙動モードを判定し、その後、第1の端末の挙動モードを構成し、第2の端末は、第1の端末を含んでもよく、あるいは第1の端末を含まなくてもよく、これは、本発明のこの実施形態において特に限定はされない。
【０１０８】
具体的には、第2の端末が測定レポートをトリガしまたは送信する瞬間と第1のタイマとの間のタイミング関係は、
第1のタイマが始動される前に第2の端末が測定レポートをトリガしまたは送信する、図2に示された第1の関係
または
第1のタイマの作動中に第2の端末が測定レポートをトリガしまたは送信する、図3に示された第2の関係
または
第1のタイマが満了する時に第2の端末がまだ測定レポートをトリガまたは送信していない、図4に示された第3の関係
を特に含むことができる。
【０１０９】
602  基地局が、少なくとも1つのタイプの第3の識別子に従って第1の端末に対応する好ましい挙動モードを判定する。
【０１１０】
具体的には、少なくとも1つのタイプの第3の識別子に従って第1の端末に対応する好ましい挙動モードを判定するステップは、
少なくとも1つのタイプの第3の識別子の各タイプの第3の識別子の量をカウントするステップと、
少なくとも1つのタイプの識別子の各タイプの第3の識別子の量に従って、第4の識別子を判定するステップであって、第4の識別子は、少なくとも1つのタイプの第3の識別子の中で識別子の最大の量を有する識別子のタイプである、判定するステップと、
第4の識別子に従って第4の識別子に対応する好ましい挙動モードを判定し、好ましい挙動モードが第1の端末に対応する好ましい挙動モードであると判定するステップと
を特に含む。
【０１１１】
具体的には、第4の識別子は、第1の関係を特に表すことができ、第2の関係を表すこともでき、第3の関係をさらに表すことができるが、これは、本発明の実施形態において特に限定はされない。第4の識別子が、少なくとも1つのタイプの第3の識別子の中で識別子の最大の量を有する識別子のタイプであることだけが、説明される。
【０１１２】
具体的には、好ましい挙動モードは、
図7に示されているように、第1の関係が発生する時に、第1のタイマに関して第1の端末によって構成されるタイマ長が、第1のタイマ長であり、第1のタイマが満了する時に、第1の端末が、接続再確立を開始し、
図8に示されているように、第2の関係または第3の関係が発生する時に、第1のタイマに関して第1の端末によって構成されるタイマ長が、第2のタイマ長であり、第1のタイマが満了する時に、第1の端末が、接続再確立を開始する
を含む第1の挙動モード
または
第1のタイマに関して第1の端末によって構成されるタイマ長が、第2のタイマ長であり、
図9に示されているように、第2の関係が発生し、第1の端末が測定レポートをトリガしまたは送信する時に、第1の端末が、作動中の第1のタイマを終了し、接続再確立を開始し、
図10に示されているように、第1の関係または第3の関係が発生し、第1のタイマが満了する時に、第1の端末が、接続再確立を開始する
を含む第2の挙動モード
または
図7に示されているように、第1の関係が発生する時に、第1のタイマに関して第1の端末によって構成されるタイマ長が、第1のタイマ長であり、第1のタイマが満了する時に、第1の端末が、接続再確立を開始し、
図9に示されているように、第2の関係が発生する時に、第1のタイマに関して第1の端末によって構成されるタイマ長が、第2のタイマ長であり、第1の端末が測定レポートをトリガしまたは送信する時に、第1の端末が、作動中の第1のタイマを終了し、接続再確立を開始し、
図11に示されているように、第3の関係が発生する時に、第1のタイマに関して第1の端末によって構成されるタイマ長が、第2のタイマ長であり、第1のタイマが満了する時に、第1の端末が、接続再確立を開始する
を含む第3の挙動モード、または
第1のタイマに関して第1の端末によって構成されるタイマ長が、第2のタイマ長であり、
図12に示されているように、第1のタイマが満了する時に、第1の端末が接続再確立を開始する
を含む第4の挙動モード
を特に含むことができる。
【０１１３】
具体的には、平均中断遅延の低減という展望から、第4の識別子が第1の関係を表す場合には、第4の識別子に対応する好ましい挙動モードは、第1の挙動モードまたは第3の挙動モードとすることができ、
第4の識別子が第2の関係を表す場合には、第4の識別子に対応する好ましい挙動モードは、第2の挙動モードまたは第3の挙動モードとすることができ、
第4の識別子が第3の関係を表し、第4の識別子の量が、第5の識別子の量と第6の識別子の量との合計より大きくはない場合には、第4の識別子に対応する好ましい挙動モードは、第3の挙動モードであり、第5の識別子および第6の識別子のうちの一方の識別子は、第2の関係に対応し、他方の識別子は、第1の関係に対応する。
【０１１４】
第4の識別子が、第3の関係を表し、第4の識別子の量が、第5の識別子の量と第6の識別子の量との合計より大きい場合には、これが、ほとんどの場合に、第1にタイマが満了する時に、第2の端末が、それでも測定レポートをトリガせず、送信しないことを示し、これが、期待されないケースであることに留意されたい。このケースに対応する好ましい挙動モードは、本発明のこの実施形態では議論されない。
【０１１５】
第1のタイマ長が、必ずしも一定ではなく、実際の要件に従ってセットされ得ることに留意されたい。本発明のこの実施形態における第1のタイマ長および第2のタイマ長は、同一であっても異なってもよく、これは、本明細書で特に限定はされない。しかし、一般に、平均中断遅延を減らすために、異なるタイマ長が、一般に第1のタイマについてセットされ、第1のタイマ長は、一般に第2のタイマ長より短い。
【０１１６】
603  基地局が好ましい挙動モードが構成されることを許可する場合に、第1の端末が好ましい挙動モードを構成するようにするために、基地局が、好ましい挙動モードに関する情報を第1の端末に送信する。
【０１１７】
具体的には、第4の識別子が、第1の関係を表す時に、ステップ603の説明を参照すると、基地局が、第1の挙動モードを構成することを許可する場合には、第1の挙動モードに関する情報が、第1の端末に送信され、その結果、第1の端末は、第1の挙動モードを構成するようになり、基地局が、第3の挙動モードを構成することを許可する場合には、第3の挙動モードに関する情報が、第1の端末に送信され、その結果、第1の端末は、第3の挙動モードを構成するようになり、
第4の識別子が、第2の関係を表す時に、ステップ603の説明を参照すると、基地局が、第2の挙動モードを構成することを許可する場合には、第2の挙動モードに関する情報が、第1の端末に送信され、その結果、第1の端末は、第2の挙動モードを構成するようになり、基地局が、第3の挙動モードを構成することを許可する場合には、第3の挙動モードに関する情報が、第1の端末に送信され、その結果、第1の端末は、第3の挙動モードを構成するようになり、
第4の識別子が、第3の関係を表す時に、第4の識別子の量が、第5の識別子の量と第6の識別子の量との合計より大きくはない場合に、ステップ603の説明を参照すると、基地局が、第3の挙動モードを構成することを許可する場合には、第3の挙動モードに関する情報が、第1の端末に送信され、その結果、第1の端末は、第3の挙動モードを構成するようになる。
【０１１８】
基地局が構成を許可する挙動モードが、以下の、第1の挙動モード+第2の挙動モード+第4の挙動モード、または第4の挙動モード+第1の挙動モード、または第4の挙動モード+第2の挙動モード、または第4の挙動モード+第3の挙動モードという複数のケースを含み、したがって、第1の挙動モードおよび第3の挙動モードが共存するケースが存在せず、第2の挙動モードおよび第3の挙動モードが共存するケースも存在しないことに留意されたい。第3の挙動モードは、実質的に、平均中断遅延をさらに減らすために、第1の挙動モードおよび第2の挙動モードが組み合わされるケースである。
【０１１９】
604  基地局が好ましい挙動モードが構成されることを許可しない場合に、第1の端末が、基地局が構成を許可する挙動モードおよび第1のパラメータに関する情報に従って構成を実行するようにするために、基地局が構成を許可する挙動モードおよび第1のパラメータに関する情報を第1の端末に送信し、第1のパラメータは、基地局が構成を許可する挙動モードが第1の端末の好ましい挙動モードになることを可能にするパラメータである。
【０１２０】
具体的には、第4の識別子が、第1の関係を表す時に、ステップ603の説明を参照すると、基地局が、第1の挙動モードが構成されることを許可せず、第3の挙動モードが構成されることを許可しないが、第4の挙動モードおよび第2の挙動モードが構成されることを許可する場合に、第4の挙動モードおよび第1のパラメータに関する情報が、第1の端末に送信され、その結果、第1の端末が、第4の挙動モードおよび第1のパラメータに関する情報に従って構成を実行するようになり、または、第2の挙動モードおよび第1のパラメータに関する情報が、第1の端末に送信され、その結果、第1の端末が、第2の挙動モードおよび第1のパラメータに関する情報に従って構成を実行するようになり、
第4の識別子が、第2の関係を表す時に、ステップ603の説明を参照すると、基地局が、第2の挙動モードが構成されることを許可せず、第3の挙動モードが構成されることを許可しないが、第4の挙動モードおよび第1の挙動モードが構成されることを許可する場合に、第4の挙動モードおよび第1のパラメータに関する情報が、第1の端末に送信され、その結果、第1の端末が、第4の挙動モードおよび第1のパラメータに関する情報に従って構成を実行するようになり、または、第1の挙動モードおよび第1のパラメータに関する情報が、第1の端末に送信され、その結果、第1の端末が、第2の挙動モードおよび第1のパラメータに関する情報に従って構成を実行するようになり、あるいは、
第4の識別子が、第3の関係を表す時に、第4の識別子の量が、第5の識別子の量と第6の識別子の量との合計より大きくはない場合に、ステップ603の説明を参照すると、
基地局が、第3の挙動モードが構成されることを許可しないが、第4の挙動モードおよび第1の挙動モードが構成されることを許可する場合には、第4の挙動モードおよび第1のパラメータに関する情報が、第1の端末に送信され、その結果、第1の端末は、第4の挙動モードおよび第1のパラメータに関する情報に従って構成を実行するようになり、もしくは、第1の挙動モードおよび第1のパラメータに関する情報が、第1の端末に送信され、その結果、第1の端末は、第1の挙動モードおよび第1のパラメータに関する情報に従って構成を実行するようになり、または、
基地局が、第3の挙動モードが構成されることを許可しないが、第4の挙動モードおよび第2の挙動モードが構成されることを許可する場合には、第4の挙動モードおよび第1のパラメータに関する情報が、第1の端末に送信され、その結果、第1の端末は、第4の挙動モードおよび第1のパラメータに関する情報に従って構成を実行するようになり、もしくは、第2の挙動モードおよび第1のパラメータに関する情報が、第1の端末に送信され、その結果、第1の端末は、第2の挙動モードおよび第1のパラメータに関する情報に従って構成を実行するようになる。
【０１２１】
基地局が、好ましい挙動モードが構成されることを許可しない場合に、それでも平均中断遅延を減らすことができるようにするために、基地局が、構成が許可される挙動モードおよび第1のパラメータに関する情報を第1の端末に送信することができ、第1の端末が、第1の端末が測定レポートをトリガしまたは送信する瞬間と第1のタイマとの間のタイミング関係を第1のパラメータに従って変更し、その結果、関係が発生する時に、基地局が構成を許可する挙動モードが、中断遅延をより短くすることができるようになることに留意されたい。
【０１２２】
具体的には、第1のパラメータは、第2の端末によって報告される第1の時間長または第2の時間長に従って判定されるパラメータとすることができ、第1の時間長は、第2の端末が測定レポートをトリガしまたは送信する瞬間と第1のタイマが始動される瞬間との間の時間長であり、第2の時間長は、第2の端末が測定レポートをトリガしまたは送信する瞬間と第1のタイマが満了する瞬間との間の時間長である。
【０１２３】
例示的に、第4の識別子が、図2に示された第1の関係を表す時に、基地局が、第1の挙動モードが構成されることを許可せず、第3の挙動モードが構成されることを許可しないが、第4の挙動モードおよび第2の挙動モードが構成されることを許可する場合には、第2の挙動モードおよび第1のパラメータに関する情報が、第1の端末に送信され得、第1のパラメータは、現在のタイムトゥートリガ(Time to Trigger、TTT)を参照し、第1の時間長に従って決定される新しいTTTであり、第1の端末は、第2の挙動モードを構成し、第1のパラメータに従って、測定レポートがトリガされまたは送信される瞬間を調整し、その結果、第1の端末が測定レポートをトリガしまたは送信する瞬間と第1のタイマとの間のタイミング関係は、図3に示された第2の関係になる。さらに、第1の端末が、第2の挙動モードを構成したので、第1の端末は、第1のタイマの作動中に接続再確立を開始することができ、その結果、中断遅延は、第1のタイマが始動される瞬間と測定レポートがトリガされまたは送信される瞬間との間の時間長になり、これによって、中断遅延が減らされる。確かに、基地局は、前述の効果と同一の効果を達成するために第1の端末に別のパラメータ(測定しきい値など)を送信することもでき、これは、本発明のこの実施形態において本明細書でもう一度説明はされない。
【０１２４】
確かに、基地局は、第4の挙動モードおよび第1のパラメータを第1の端末に送信することもでき、その結果、第1の端末は、構成を実行するようになる。例示的に、第1のパラメータは、現在のTTTを参照し、第1の時間長に従って決定される新しいTTTである。第1の端末は、第4の挙動モードを構成し、第1のパラメータに従って、測定レポートがトリガされまたは送信される瞬間を調整し、その結果、第1の端末が測定レポートをトリガしまたは送信する瞬間と第1のタイマとの間のタイミング関係は、図3に示された第2の関係になる。その後、後続プロセスにおいて、基地局が、統計結果に従って、第1の端末のために構成されるべき好ましい挙動モードを判定する時に、第1の端末によって報告される第1の識別子が、第2の関係を表すので、基地局は、好ましい挙動モードが第2の挙動モードまたは第3の挙動モードであると判定する。その後、基地局は、基地局が構成を許可する第2の挙動モードを第1の端末のために構成することができ、その後、第1の端末は、第1のタイマの作動中に接続再確立を開始することができ、その結果、中断遅延は、第1のタイマが始動される瞬間と測定レポートがトリガされまたは送信される瞬間との間の時間長になり、これによって、中断遅延が減らされる。
【０１２５】
605  第1の端末が、第1の端末の構成情報を入手し、第1の端末の構成情報は、少なくとも、第1の端末のために構成される挙動モードに関する情報を含む。
【０１２６】
具体的には、第1の端末によって入手される第1の端末の構成情報は、好ましい挙動モードに関する情報とすることができ、好ましい挙動モードは、第1の端末のために構成されるべき挙動モードであり、あるいは、第1の端末によって入手される第1の端末の構成情報は、基地局が構成を許可する挙動モードおよび第1のパラメータに関する情報とすることができ、基地局が構成を許可する挙動モードは、第1の端末のために構成されるべき挙動モードである。第1の端末の構成情報は、本発明のこの実施形態において特に限定はされない。
【０１２７】
606  第1の端末が、第1の端末の構成情報に従って構成を実行する。
【０１２８】
具体的には、第1の端末が、第1の端末の構成情報を入手した後に、第1の端末は、第1の端末の構成情報に従って構成を実行することができる。
【０１２９】
具体的には、ステップ605の説明を参照すると、第1の端末の構成情報が、好ましい挙動モードに関する情報である場合には、第1の端末は、好ましい挙動モードに関する情報に従って第1の端末のために好ましい挙動モードを構成し、第1の端末の構成情報が、基地局が構成を許可する挙動モードおよび第1のパラメータに関する情報である場合には、第1の端末は、第1の端末のために、基地局が構成を許可する挙動モードに関する情報に従って、基地局が構成を許可する挙動モードを構成し、第1のパラメータに従って第1の端末の構成情報を調整し、その結果、後続プロセスにおいて、第1の端末が測定レポートをトリガしまたは送信する瞬間は、基地局が構成を許可する挙動モードにおける第1の端末の中断遅延をより短くすることができるようになる。
【０１３０】
ステップ601からステップ606までの説明を参照すると、本発明を使用して第1の端末の構成を実施することによって、第1の端末によって経験される平均中断遅延を減らすことができることを入手することは、当業者にとって簡単である。
【０１３１】
607  第1の端末が、第1の端末のために構成される挙動モードに従って中断遅延を入手する。
【０１３２】
具体的には、第1の端末によって構成される異なる挙動モードは、異なる中断遅延に対応しつつある。
【０１３３】
第1の端末のために構成される挙動モードが、第1の挙動モードである場合に、第1の端末のために構成される挙動モードに従って中断遅延を入手するステップは、
第1の関係が発生する時に、第1のタイマの第1のタイマ長が中断遅延であることを入手するステップと、
第2の関係または第3の関係が発生する時に、第1のタイマの第2のタイマ長が中断遅延であることを入手するステップと
を特に含む。
【０１３４】
第1の端末のために構成される挙動モードが、第2の挙動モードである場合に、第1の端末のために構成される挙動モードに従って中断遅延を入手するステップは、
第2の関係が発生する時に、第1のタイマの作動時間長値が中断遅延であることを入手するステップであって、第1のタイマの作動時間長値は、第1のタイマが始動される瞬間と第1の端末が測定レポートをトリガしまたは送信する瞬間との間の時間長である、入手するステップと、
第1の関係または第3の関係が発生する時に、第1のタイマの第2の時間長が中断遅延であることを入手するステップと
を特に含む。
【０１３５】
第1の端末のために構成される挙動モードが、第3の挙動モードである場合に、第1の端末のために構成される挙動モードに従って中断遅延を入手するステップは、
第1の関係が発生する時に、第1のタイマの第1のタイマ長が中断遅延であることを入手するステップと、
第2の関係が発生する時に、第1のタイマの作動時間長値が中断遅延であることを入手するステップであって、第1のタイマの作動時間長値は、第1のタイマが始動される瞬間と第1の端末が測定レポートをトリガしまたは送信する瞬間との間の時間長である、入手するステップと、
第3の関係が発生する時に、第1のタイマの第2のタイマ長が中断遅延であることを入手するステップと
を特に含む。
【０１３６】
第1の端末のために構成される挙動モードが、第4の挙動モードである場合に、第1の端末のために構成される挙動モードに従って中断遅延を入手するステップは、
第1のタイマの第2のタイマ長が中断遅延であることを入手するステップ
を特に含む。
【０１３７】
608  第1の端末が、中断遅延を基地局に送信する。
【０１３８】
609  基地局が、中断遅延を入手する。
【０１３９】
610  基地局が、中断遅延に従って、基地局の現在の構成が所定のサービス品質を満足できるのかどうかを判定する。
【０１４０】
基地局の現在の構成が、所定のサービス品質を満足することができない場合に、基地局の現在の構成パラメータまたは現在の構成ポリシーが、現在のサービス品質を改善するために調整され得、これが、本発明のこの実施形態において特に限定はされないことを了解することは、当業者にとって簡単である。
【０１４１】
オプションで、本発明の実施形態は、端末情報報告方法をさらに提供し、具体的には、図13に示されているように、この方法は、以下を含む。
【０１４２】
1301  基地局が、少なくとも1つのタイプの第3の識別子を入手し、第3の識別子は、第2の端末が測定レポートをトリガしまたは送信する瞬間と第1のタイマとの間の関係を表す。
【０１４３】
1302  基地局が、少なくとも1つのタイプの第3の識別子に従って第1の端末に対応する好ましい挙動モードを判定する。
【０１４４】
1303  基地局が好ましい挙動モードが構成されることを許可する場合に、第1の端末が好ましい挙動モードを構成するようにするために、基地局が、好ましい挙動モードに関する情報を第1の端末に送信する。
【０１４５】
1304  基地局が好ましい挙動モードが構成されることを許可しない場合に、第1の端末が、基地局が構成を許可する挙動モードおよび第1のパラメータに関する情報に従って構成を実行するようにするために、基地局が、基地局が構成を許可する挙動モードおよび第1のパラメータに関する情報を第1の端末に送信し、第1のパラメータは、基地局が構成を許可する挙動モードが第1の端末の好ましい挙動モードになることを可能にするパラメータである。
【０１４６】
1305  第1の端末が、第1の端末の構成情報を入手し、第1の端末の構成情報は、少なくとも、第1の端末のために構成される挙動モードに関する情報を含む。
【０１４７】
1306  第1の端末が、第1の端末の構成情報に従って構成を実行する。
【０１４８】
1307  第1の端末が、端末が測定レポートをトリガしまたは送信する瞬間と第1のタイマとの間のタイミング関係と第1の識別子との間の事前に記憶された対応に従って第1の識別子を入手する。
【０１４９】
具体的には、第1の端末は、端末が測定レポートをトリガしまたは送信する瞬間と第1のタイマとの間のタイミング関係と第1の識別子との間の対応を事前に記憶することができ、これを、具体的に表1に示すことができる。
【０１５０】
【表１】
0006255615.tif 000002
【０１５１】
第1の関係、第2の関係、および第3の関係は、それぞれ図2、図3、および図4に示され、本明細書でもう一度これを説明することはしない。第1の関係に対応する第1の識別子は、A1であり、第2の関係に対応する第1の識別子は、A2であり、第3の関係に対応する第1の識別子は、A3である。例示的に、第1のタイマが始動される前に、第1の端末が測定レポートをトリガしまたは送信する時、すなわち、第1の関係が発生する時に、第1の識別子A1が、表1に示された対応に従って入手される。
【０１５２】
表1が、端末が測定レポートをトリガしまたは送信する瞬間と第1のタイマとの間のタイミング関係と第1の識別子との間の対応を例示的に提供するにすぎず、確かに、第1の識別子が、さらに、別のタイプのものとされ得、これが、本発明のこの実施形態において特に限定はされないことに留意されたい。
【０１５３】
1308  第1の端末が、第1の識別子を基地局に送信する。
【０１５４】
1309  基地局が、第1の識別子を入手する。
【０１５５】
1310  基地局が、第1の識別子と中断遅延との間の事前に記憶された対応に従って第1の識別子に対応する中断遅延を入手する。
【０１５６】
具体的には、基地局が、第1の端末の挙動モードを構成した後に、基地局は、第1の識別子と挙動モードにおける中断遅延との間の対応を事前に記憶することができ、これを、具体的に表2に示すことができる。
【０１５７】
【表２】
0006255615.tif 000003
【０１５８】
第1の識別子A1に対応する中断遅延は、T1であり、第1の識別子A2に対応する中断遅延は、T2であり、第1の識別子A3に対応する中断遅延は、T3である。例示的に、基地局によって入手される第1の識別子がA1である時には、中断遅延T1が、表2に示された対応に従って入手される。
【０１５９】
表2が、第1の識別子と中断遅延との間の対応を例示的に提供するにすぎず、確かに、ステップ1307に示されているように、第1の識別子は、別のタイプのものとさらにされ得、これが、本発明のこの実施形態において特に限定はされないことに留意されたい。
【０１６０】
1311  基地局が、中断遅延に従って、基地局の現在の構成が所定のサービス品質を満足できるのかどうかを判定する。
【０１６１】
具体的には、図6に示された実施形態のステップと同一である本発明のこの実施形態のステップの説明について、図6に示された実施形態の説明を参照することができ、本明細書で本発明のこの実施形態においてこれをもう一度説明することはしない。
【０１６２】
オプションで、本発明の実施形態は、端末情報報告方法をさらに提供し、具体的には、図14に示されているように、この方法は、以下を含む。
【０１６３】
1401  基地局が、少なくとも1つのタイプの第3の識別子を入手し、第3の識別子は、第2の端末が測定レポートをトリガしまたは送信する瞬間と第1のタイマとの間のタイミング関係を表す。
【０１６４】
1402  基地局が、少なくとも1つのタイプの第3の識別子に従って第1の端末に対応する好ましい挙動モードを判定する。
【０１６５】
1403  基地局が好ましい挙動モードが構成されることを許可する場合に、第1の端末が好ましい挙動モードを構成するようにするために、基地局が、好ましい挙動モードに関する情報を第1の端末に送信する。
【０１６６】
1404  基地局が好ましい挙動モードが構成されることを許可しない場合に、第1の端末が、基地局が構成を許可する挙動モードおよび第1のパラメータに関する情報に従って構成を実行するようにするために、基地局が、基地局が構成を許可する挙動モードおよび第1のパラメータに関する情報を第1の端末に送信し、第1のパラメータは、基地局が構成を許可する挙動モードが第1の端末の好ましい挙動モードになることを可能にするパラメータである。
【０１６７】
1405  第1の端末が、第1の端末の構成情報を入手し、第1の端末の構成情報は、少なくとも、第1の端末のために構成される挙動モードに関する情報を含む。
【０１６８】
1406  第1の端末が、第1の端末の構成情報に従って構成を実行する。
【０１６９】
1407  第1の端末が、端末が接続再確立を開始する瞬間と第1のタイマとの間のタイミング関係と第2の識別子との間の事前に記憶された対応に従って第2の識別子を入手する。
【０１７０】
具体的には、第1の端末が接続再確立を開始する瞬間と第1のタイマとの間のタイミング関係は、
第1のタイマが満了する時に第1の端末が接続再確立を開始し、第1のタイマに関して現在構成されているタイマ長が第1のタイマ長である、第4の関係
または第1のタイマが満了する時に第1の端末が接続再確立を開始し、第1のタイマに関して現在構成されているタイマ長が第2のタイマ長であり、第1のタイマ長および第2のタイマ長が異なる、第5の関係
または第1のタイマの作動中に第1の端末が接続再確立を開始し、第1のタイマに関して現在構成されているタイマ長が第2のタイマ長である、第6の関係
を特に含むことができる。
【０１７１】  具体的には、第1の端末は、端末が接続再確立を開始する瞬間と第1のタイマとの間のタイミング関係と第2の識別子との間の対応を事前に記憶することができ、これを、具体的に表3に示すことができる。
【０１７２】
【表３】
0006255615.tif 000004
【０１７３】
第4の関係に対応する第2の識別子は、B1であり、第5の関係に対応する第2の識別子は、B2であり、第6の関係に対応する第2の識別子は、B3である。例示的に、第1のタイマが満了し、第1のタイマについて構成されたタイマ長が第1のタイマ長である時に、第1の端末が接続再確立を開始する時すなわち、第4の関係が発生する時には、第2の識別子B1が、表3に示された対応に従って入手される。
【０１７４】
表3が、端末が接続再確立を開始する瞬間と第1のタイマとの間のタイミング関係と第2の識別子との間の対応を例示的に提供するにすぎず、確かに、第2の識別子は、さらに別のタイプのものとされ得、これが、本発明のこの実施形態において特に限定はされないことに留意されたい。
【０１７５】
1408  第1の端末が、第2の識別子を基地局に送信する。
【０１７６】
1409  基地局が、第2の識別子を入手する。
【０１７７】
1410  基地局が、第2の識別子と中断遅延との間の事前に記憶された対応に従って第2の識別子に対応する中断遅延を入手する。
【０１７８】
具体的には、基地局は、第2の識別子と中断遅延との間の対応を事前に記憶することができ、これを、具体的に表4に示すことができる。
【０１７９】
【表４】
0006255615.tif 000005
【０１８０】
第2の識別子B1に対応する中断遅延は、T4であり、第2の識別子B2に対応する中断遅延は、T5であり、第2の識別子B3に対応する中断遅延は、T6である。例示的に、基地局によって入手される第2の識別子がB1である時には、中断遅延T4が、表4に示された対応に従って入手される。
【０１８１】
表4が、第2の識別子と中断遅延との間の対応を例示的に提供するにすぎず、確かに、ステップ1407に示されているように、第2の識別子は、さらに別のタイプのものとされ得、これが、本発明のこの実施形態において特に限定はされないことに留意されたい。
【０１８２】
1411  基地局が、中断遅延に従って、基地局の現在の構成が所定のサービス品質を満足できるのかどうかを判定する。
【０１８３】
具体的には、図6に示された実施形態のステップと同一である本発明のこの実施形態のステップの説明について、図6に示された実施形態の説明を参照することができ、本明細書で本発明のこの実施形態においてこれをもう一度説明することはしない。
【０１８４】
前述の実施形態の説明に基づいて、本発明のこの実施形態において、第1の端末が第1の情報を入手し、第1の情報を基地局に送信する方法は、基地局が、第1の情報を入手することと、第1の情報に従って、基地局の現在の構成が所定のサービス品質を満足できるのかどうかを判定することとを可能にし、さらに、基地局の現在の構成が所定のサービス品質を満足することができない場合には、現在の構成パラメータおよび現在の構成ポリシーが、サービス品質を改善するために調整され得、第1の情報は、中断遅延、または第1の識別子、または第2の識別子を含み、第1の識別子は、第1の端末が測定レポートをトリガしまたは送信する瞬間と第1のタイマとの間のタイミング関係を表し、第2の識別子は、第1の端末が接続再確立を開始する瞬間と第1のタイマとの間のタイミング関係を表す。
【０１８５】
実施形態３
本発明のこの実施形態は、第1の端末1500を提供し、具体的には、図15に示されているように、第1の端末1500は、入手ユニット1501および送信ユニット1502を含む。
【０１８６】
入手ユニット1501は、第1の情報を入手するように構成され、第1の情報は、中断遅延、または第1の識別子、または第2の識別子を含み、第1の識別子は、第1の端末1500が測定レポートをトリガしまたは送信する瞬間と第1のタイマとの間のタイミング関係を表し、第2の識別子は、第1の端末1500が接続再確立を開始する瞬間と第1のタイマとの間のタイミング関係を表す。
【０１８７】
送信ユニット1502は、入手ユニット1501によって入手された第1の情報を基地局に送信するように構成される。
【０１８８】
さらに、送信ユニット1502は、
第1の情報を基地局に送信し、基地局は、中断遅延に従って、または第1の識別子によって決定される中断遅延に従って、または第2の識別子によって決定される中断遅延に従って、基地局の現在の構成が所定のサービス品質を満足できるのかどうかを判定する
ように特に構成される。
【０１８９】
さらに、図16に示されているように、第1の端末1500は、構成ユニット1503をさらに含む。
【０１９０】
入手ユニット1501は、
第1の情報を入手する前に、第1の端末1500の構成情報を入手し、第1の端末1500の構成情報は、第2の端末によって報告される第3の識別子に従って基地局によって判定され、第3の識別子は、第2の端末が測定レポートをトリガしまたは送信する瞬間と第1のタイマとの間のタイミング関係を表し、第1の端末1500の構成情報は、少なくとも、第1の端末1500のために構成される挙動モードに関する情報を含む
ようにさらに構成される。
【０１９１】
構成ユニット1503は、入手ユニット1501によって入手された第1の端末1500の構成情報に従って構成を実行するように構成される。
【０１９２】
入手ユニット1501は、
第1の情報が中断遅延である場合に、第1の端末1500のために構成される挙動モードに従って中断遅延を入手する
ように特に構成される。
【０１９３】
入手ユニット1501は、
第1の情報が第1の識別子である場合に、端末が測定レポートをトリガしまたは送信する瞬間と第1のタイマとの間のタイミング関係と第1の識別子との間の事前に記憶された対応に従って第1の識別子を入手する
ようにさらに特に構成される。
【０１９４】
入手ユニット1501は、
第1の情報が第2の識別子である場合に、端末が接続再確立を開始する瞬間と第1のタイマとの間のタイミング関係と第2の識別子との間の事前に記憶された対応に従って第2の識別子を入手する
ようにさらに特に構成される。
【０１９５】
さらに、第1の端末1500の構成情報は、第2の端末によって報告される第1の時間長または第2の時間長に従って基地局によってさらに判定され、第1の時間長は、第2の端末が測定レポートをトリガしまたは送信する瞬間と第1のタイマが始動される瞬間との間の時間長であり、第2の時間長は、第2の端末が測定レポートをトリガしまたは送信する瞬間と第1のタイマが満了する瞬間との間の時間長である。
【０１９６】
さらに、第1/第2の端末が測定レポートをトリガしまたは送信する瞬間と第1のタイマとの間のタイミング関係は、
第1のタイマが始動される前に第1/第2の端末が測定レポートをトリガしまたは送信する第1の関係
または
第1のタイマの作動中に第1/第2の端末が測定レポートをトリガしまたは送信する第2の関係
または
第1のタイマが満了する時に第1/第2の端末がまだ測定レポートをトリガまたは送信していない第3の関係
を含む。
【０１９７】
さらに、第1の端末1500のために構成される挙動モードは、
第1の関係が発生する時に、第1のタイマに関して第1の端末1500によって構成されるタイマ長が、第1のタイマ長であり、第1のタイマが満了する時に、第1の端末1500が、接続再確立を開始し、
第2の関係または第3の関係が発生する時に、第1のタイマに関して第1の端末1500によって構成されるタイマ長が、第2のタイマ長であり、第1のタイマが満了する時に、第1の端末1500が接続再確立を開始する
を含む第1の挙動モード
または
第1のタイマに関して第1の端末1500によって構成されるタイマ長が、第2のタイマ長であり、
第2の関係が発生し、第1の端末1500が測定レポートをトリガしまたは送信する時に、第1の端末1500が、作動中の第1のタイマを終了し、接続再確立を開始し、
第1の関係または第3の関係が発生し、第1のタイマが満了する時に、第1の端末1500が接続再確立を開始する
を含む第2の挙動モード
または
第1の関係が発生する時に、第1のタイマに関して第1の端末1500によって構成されるタイマ長が、第1のタイマ長であり、第1のタイマが満了する時に、第1の端末1500が、接続再確立を開始し、
第2の関係が発生する時に、第1のタイマに関して第1の端末1500によって構成されるタイマ長が、第2のタイマ長であり、第1の端末1500が、測定レポートをトリガしまたは送信する時に、第1の端末1500が、作動中の第1のタイマを終了し、接続再確立を開始し、
第3の関係が発生する時に、第1のタイマに関して第1の端末1500によって構成されるタイマ長が、第2のタイマ長であり、第1のタイマが、満了する時に、第1の端末1500が、接続再確立を開始する
を含む第3の挙動モード、
または
第1のタイマに関して第1の端末1500によって構成されるタイマ長が、第2のタイマ長であり、
第1のタイマが満了する時に、第1の端末1500が、接続再確立を開始する
を含む第4の挙動モード
を特に含む。
【０１９８】
さらに、第1の端末1500のために構成される挙動モードが、第1の挙動モードである場合に、入手ユニット1501は、
第1の関係が発生する時に、第1のタイマの第1のタイマ長が中断遅延であることを入手し、
第2の関係または第3の関係が発生する時に、第1のタイマの第2のタイマ長が中断遅延であることを入手する
ようにさらに特に構成される。
【０１９９】
オプションで、第1の端末1500のために構成される挙動モードが、第2の挙動モードである場合に、入手ユニット1501は、
第2の関係が発生する時に、第1のタイマの作動時間長値が中断遅延であることを入手し、第1のタイマの作動時間長値は、第1のタイマが始動される瞬間と第1の端末1500が測定レポートをトリガしまたは送信する瞬間との間の時間長であり、
第1の関係または第3の関係が発生する時に、第1のタイマの第2のタイマ長が中断遅延であることを入手する
ようにさらに特に構成される。
【０２００】
オプションで、第1の端末1500のために構成される挙動モードが、第3の挙動モードである場合に、入手ユニット1501は、
第1の関係が発生する時に、第1のタイマの第1のタイマ長が中断遅延であることを入手し、
第2の関係が発生する時に、第1のタイマの作動時間長値が中断遅延であることを入手し、第1のタイマの作動時間長値は、第1のタイマが始動される瞬間と第1の端末1500が測定レポートをトリガしまたは送信する瞬間との間の時間長であり、
第3の関係が発生する時に、第1のタイマの第2のタイマ長が中断遅延であることを入手する
ようにさらに特に構成される。
【０２０１】
オプションで、第1の端末1500のために構成される挙動モードが、第4の挙動モードである場合に、入手ユニット1501は、
第1のタイマの第2のタイマ長が中断遅延であることを入手する
ようにさらに特に構成される。
【０２０２】
さらに、第1の端末1500が接続再確立を開始する瞬間と第1のタイマとの間のタイミング関係は、
第1のタイマが満了する時に第1の端末1500が接続再確立を開始し、第1のタイマに関して現在構成されているタイマ長が第1のタイマ長である、第4の関係
または
第1のタイマが満了する時に第1の端末1500が接続再確立を開始し、第1のタイマに関して現在構成されているタイマ長が第2のタイマ長であり、第1のタイマ長および第2のタイマ長が異なる、第5の関係
または
第1のタイマの作動中に第1の端末1500が接続再確立を開始し、第1のタイマに関して現在構成されているタイマ長が第2のタイマ長である、第6の関係
を特に含む。
【０２０３】
具体的には、第1の端末を使用することによって端末情報を報告する方法について、実施形態1および実施形態2の説明を参照することができ、本発明のこの実施形態においてこれをもう一度説明することはしない。
【０２０４】
本発明のこの実施形態において提供される第1の端末に基づいて、第1の端末の入手ユニットは、第1の情報を入手し、送信ユニットは、第1の情報を基地局に送信し、その結果、基地局は、第1の情報を入手し、第1の情報に従って、基地局の現在の構成が所定のサービス品質を満足できるのかどうかを判定することができるようになり、さらに、基地局の現在の構成が所定のサービス品質を満足することができない場合には、現在の構成パラメータおよび現在の構成ポリシーが、サービス品質を改善するために調整され得、第1の情報は、中断遅延、または第1の識別子、または第2の識別子を含み、第1の識別子は、第1の端末が測定レポートをトリガしまたは送信する瞬間と第1のタイマとの間のタイミング関係を表し、第2の識別子は、第1の端末が接続再確立を開始する瞬間と第1のタイマとの間のタイミング関係を表す。
【０２０５】
実施形態４
本発明のこの実施形態は、基地局1700を提供し、具体的には、図17に示されているように、基地局1700は、入手ユニット1701および判定ユニット1702を含む。
【０２０６】
入手ユニット1701は、第1の端末によって報告された第1の情報を入手するように構成され、第1の情報は、中断遅延、または第1の識別子、または第2の識別子を含み、第1の識別子は、第1の端末が測定レポートをトリガしまたは送信する瞬間と第1のタイマとの間のタイミング関係を表し、第2の識別子は、第1の端末が接続再確立を開始する瞬間と第1のタイマとの間のタイミング関係を表す。
【０２０７】
判定ユニット1702は、入手ユニット1701によって入手された第1の情報に従って、基地局1700の現在の構成が所定のサービス品質を満足できるのかどうかを判定するように構成される。
【０２０８】
さらに、判定ユニット1702は、
第1の情報が中断遅延である場合に、中断遅延に従って、基地局1700の現在の構成が所定のサービス品質を満足できるのかどうかを判定し、または、
第1の情報が第1の識別子である場合に、第1の識別子と中断遅延との間の事前に記憶された対応に従って第1の識別子に対応する中断遅延を入手し、
第1の識別子に対応する中断遅延に従って、基地局1700の現在の構成が所定のサービス品質を満足できるのかどうかを判定し、または、
第1の情報が第2の識別子である場合に、第2の識別子と中断遅延との間の事前に記憶された対応に従って第2の識別子に対応する中断遅延を入手し、
第2の識別子に対応する中断遅延に従って、基地局1700の現在の構成が所定のサービス品質を満足できるのかどうかを判定する
ように特に構成される。
【０２０９】
さらに、図18に示されているように、基地局1700は、送信ユニット1703をさらに含む。
【０２１０】
入手ユニット1701は、第1の端末によって報告された第1の情報を入手する前に、少なくとも1つのタイプの第3の識別子を入手するようにさらに構成され、第3の識別子は、第2の端末が測定レポートをトリガしまたは送信する瞬間と第1のタイマとの間のタイミング関係を表す。
【０２１１】
判定ユニット1702は、入手ユニット1701によって入手された少なくとも1つのタイプの第3の識別子に従って第1の端末に対応する好ましい挙動モードを判定するようにさらに構成される。
【０２１２】
送信ユニット1703は、基地局1700が好ましい挙動モードが構成されることを許可する場合に、第1の端末が好ましい挙動モードを構成するようにするために、判定ユニット1702によって判定された好ましい挙動モードに関する情報を第1の端末に送信するように構成される。
【０２１３】
送信ユニット1703は、基地局1700が好ましい挙動モードが構成されることを許可しない場合に、第1の端末が、基地局1700が構成を許可する挙動モードおよび第1のパラメータに関する情報に従って構成を実行するようにするために、基地局1700が構成を許可する挙動モードおよび第1のパラメータに関する情報を第1の端末に送信するようにさらに構成され、第1のパラメータは、基地局1700が構成を許可する挙動モードが第1の端末の好ましい挙動モードになることを可能にするパラメータである。
【０２１４】
さらに、判定ユニット1702は、
少なくとも1つのタイプの第3の識別子の各タイプの第3の識別子の量をカウントし、
少なくとも1つのタイプの識別子の各タイプの第3の識別子の量に従って、第4の識別子を判定し、第4の識別子は、少なくとも1つのタイプの第3の識別子の中で識別子の最大の量を有する識別子のタイプであり、
第4の識別子に従って第4の識別子に対応する好ましい挙動モードを判定し、好ましい挙動モードが第1の端末に対応する好ましい挙動モードであると判定する
ように特に構成される。
【０２１５】
さらに、第1/第2の端末が測定レポートをトリガしまたは送信する瞬間と第1のタイマとの間のタイミング関係は、
第1のタイマが始動される前に第1/第2の端末が測定レポートをトリガしまたは送信する、第1の関係
または
第1のタイマの作動中に第1/第2の端末が測定レポートをトリガしまたは送信する、第2の関係
または
第1のタイマが満了する時に第1/第2の端末がまだ測定レポートをトリガまたは送信していない、第3の関係
を含む。
【０２１６】
さらに、第1の端末に対応する好ましい挙動モードは、
第1の関係が発生する時に、第1のタイマに関して第1の端末によって構成されるタイマ長が、第1のタイマ長であり、第1のタイマが満了する時に、第1の端末が、接続再確立を開始し、
第2の関係または第3の関係が発生する時に、第1のタイマに関して第1の端末によって構成されるタイマ長が、第2のタイマ長であり、第1のタイマが満了する時に、第1の端末が、接続再確立を開始する
を含む第1の挙動モード
または
第1のタイマに関して第1の端末によって構成されるタイマ長が、第2のタイマ長であり、
第2の関係が発生し、第1の端末が測定レポートをトリガしまたは送信する時に、第1の端末が、作動中の第1のタイマを終了し、接続再確立を開始し、
第1の関係または第3の関係が発生し、第1のタイマが満了する時に、第1の端末が、接続再確立を開始する
を含む第2の挙動モード
または
第1の関係が発生する時に、第1のタイマに関して第1の端末によって構成されるタイマ長が、第1のタイマ長であり、第1のタイマが満了する時に、第1の端末が、接続再確立を開始し、
第2の関係が発生する時に、第1のタイマに関して第1の端末によって構成されるタイマ長が、第2のタイマ長であり、第1の端末が測定レポートをトリガしまたは送信する時に、第1の端末が、作動中の第1のタイマを終了し、接続再確立を開始し、
第3の関係が発生する時に、第1のタイマに関して第1の端末によって構成されるタイマ長が、第2のタイマ長であり、第1のタイマが満了する時に、第1の端末が、接続再確立を開始する
を含む第3の挙動モード、
または
第1のタイマに関して第1の端末によって構成されるタイマ長が、第2のタイマ長であり、
第1のタイマが満了する時に、第1の端末が接続再確立を開始する
を含む第4の挙動モード
を特に含む。
【０２１７】
さらに、第4の識別子は、第1の関係を特に表す。
【０２１８】
判定ユニット1702は、
第4の識別子に従って、第4の識別子に対応する好ましい挙動モードが、第1の挙動モードまたは第3の挙動モードであることを判定する
ように特に構成される。
【０２１９】
送信ユニット1703は、
基地局1700が、第1の挙動モードが構成されることを許可する場合に、第1の端末が第1の挙動モードを構成するようにするために、第1の挙動モードに関する情報を第1の端末に送信し、または、
基地局1700が、第3の挙動モードが構成されることを許可する場合に、第1の端末が第3の挙動モードを構成するようにするために、第3の挙動モードに関する情報を第1の端末に送信する
ように特に構成される。
【０２２０】
さらに、送信ユニット1703は、
基地局1700が、第1の挙動モードが構成されることを許可せず、第3の挙動モードが構成されることを許可しないが、第4の挙動モードおよび第2の挙動モードが構成されることを許可する場合に、第1の端末が、第4の挙動モードおよび第1のパラメータに関する情報に従って構成を実行するようにするために、第4の挙動モードおよび第1のパラメータに関する情報を第1の端末に送信し
または
第1の端末が、第2の挙動モードおよび第1のパラメータに関する情報に従って構成を実行するようにするために、第2の挙動モードおよび第1のパラメータに関する情報を第1の端末に送信する
ようにさらに特に構成される。
【０２２１】
オプションで、第4の識別子は、第2の関係を特に表す。
【０２２２】
判定ユニット1702は、
第4の識別子に従って、第4の識別子に対応する好ましい挙動モードが第2の挙動モードまたは第3の挙動モードであることを判定する
ように特に構成される。
【０２２３】
送信ユニット1703は、
基地局1700が、第2の挙動モードが構成されることを許可する場合に、第1の端末が第2の挙動モードを構成するようにするために、第2の挙動モードに関する情報を第1の端末に送信し、
基地局1700が、第3の挙動モードが構成されることを許可する場合に、第1の端末が第3の挙動モードを構成するようにするために、第3の挙動モードに関する情報を第1の端末に送信する
ように特に構成される。
【０２２４】
さらに、送信ユニット1703は、
基地局1700が、第2の挙動モードが構成されることを許可せず、第3の挙動モードが構成されることを許可しないが、第4の挙動モードおよび第1の挙動モードが構成されることを許可する場合に、第1の端末が第4の挙動モードおよび第1のパラメータに関する情報に従って構成を実行するようにするために、第4の挙動モードおよび第1のパラメータに関する情報を第1の端末に送信し
または
第1の端末が、第1の挙動モードおよび第1のパラメータに関する情報に従って構成を実行するようにするために、第1の挙動モードおよび第1のパラメータに関する情報を第1の端末に送信する
ようにさらに特に構成される。
【０２２５】
オプションで、第4の識別子は、第3の関係を特に表す。
【０２２６】
判定ユニット1702は、
第4の識別子の量が、第5の識別子の量と第6の識別子の量との合計より多くはない場合に、第4の識別子に対応する好ましい挙動モードが、第3の挙動モードであると判定し、第5の識別子および第6の識別子のうちの一方の識別子は、第2の関係に対応し、他方の識別子は、第1の関係に対応する
ように特に構成される。
【０２２７】
送信ユニット1703は、
基地局1700が、第3の挙動モードが構成されることを許可する場合に、第1の端末が第3の挙動モードを構成するようにするために、第3の挙動モードに関する情報を第1の端末に送信する
ように特に構成される。
【０２２８】
さらに、送信ユニット1703は、
基地局1700が、第3の挙動モードが構成されることを許可しないが、第4の挙動モードおよび第1の挙動モードが構成されることを許可する場合に、第1の端末が、第4の挙動モードおよび第1のパラメータに関する情報に従って構成を実行するようにするために、第4の挙動モードおよび第1のパラメータに関する情報を第1の端末に送信し、
または
第1の端末が第1の挙動モードおよび第1のパラメータに関する情報に従って構成を実行するようにするために、第1の挙動モードおよび第1のパラメータに関する情報を第1の端末に送信する
ようにさらに特に構成される。
【０２２９】
代替案では、送信ユニット1703は、
基地局1700が、第3の挙動モードが構成されることを許可しないが、第4の挙動モードおよび第2の挙動モードが構成されることを許可する場合に、第1の端末が第4の挙動モードおよび第1のパラメータに関する情報に従って構成を実行するようにするために、第4の挙動モードおよび第1のパラメータに関する情報を第1の端末に送信し
または
第1の端末が第2の挙動モードおよび第1のパラメータに関する情報に従って構成を実行するようにするために、第2の挙動モードおよび第1のパラメータに関する情報を第1の端末に送信する
ようにさらに特に構成される。
【０２３０】
さらに、入手ユニット1701は、
判定ユニット1702が、少なくとも1つのタイプの識別子に従って第1の端末に対応する好ましい挙動モードを判定する前に、第2の端末によって報告された第1の時間長または第2の時間長を入手し、第1の時間長は、第2の端末が測定レポートをトリガしまたは送信する瞬間と第1のタイマが始動される瞬間との間の時間長であり、第2の時間長は、第2の端末が測定レポートをトリガしまたは送信する瞬間と第1のタイマが満了する瞬間との間の時間長である
ようにさらに構成される。
【０２３１】
第1のパラメータは、
第1の時間長または第2の時間長に従って判定されるパラメータ
を特に含む。
【０２３２】
さらに、第1の端末が接続再確立を開始する瞬間と第1のタイマとの間のタイミング関係は、
第1のタイマが満了する時に、第1の端末が、接続再確立を開始し、第1のタイマに関して現在構成されているタイマ長が、第1のタイマ長である、第4の関係
または
第1のタイマが満了する時に、第1の端末が、接続再確立を開始し、第1のタイマに関して現在構成されているタイマ長が、第2のタイマ長であり、第1のタイマ長および第2のタイマ長が、異なる、第5の関係
または
第1のタイマの作動中に、第1の端末が、接続再確立を開始し、第1のタイマに関して現在構成されているタイマ長が、第2のタイマ長である、第6の関係
を特に含む。
【０２３３】
具体的には、基地局を使用することによって端末情報を報告する方法について、実施形態1および実施形態2の説明を参照することができ、本発明のこの実施形態においてこれをもう一度説明することはしない。
【０２３４】
本発明の前述の実施形態において提供される基地局に基づいて、基地局の入手ユニットは、第1の情報を入手し、判定ユニットは、第1の情報に従って、基地局の現在の構成が所定のサービス品質を満足できるのかどうかを判定し、その結果、基地局の現在の構成が所定のサービス品質を満足することができない時には、現在の構成パラメータおよび現在の構成ポリシーが、サービス品質を改善するために調整され得、第1の情報は、中断遅延、または第1の識別子、または第2の識別子を含み、第1の識別子は、第1の端末が測定レポートをトリガしまたは送信する瞬間と第1のタイマとの間のタイミング関係を表し、第2の識別子は、第1の端末が接続再確立を開始する瞬間と第1のタイマとの間のタイミング関係を表す。
【０２３５】
実施形態５
本発明のこの実施形態は、第1の端末1900を提供し、具体的には、図19に示されているように、第1の端末1900は、プロセッサ1901およびセンダ1902を含む。
【０２３６】
プロセッサ1901は、第1の情報を入手するように構成され、第1の情報は、中断遅延、または第1の識別子、または第2の識別子を含み、第1の識別子は、第1の端末1900が測定レポートをトリガしまたは送信する瞬間と第1のタイマとの間のタイミング関係を表し、第2の識別子は、第1の端末1900が接続再確立を開始する瞬間と第1のタイマとの間のタイミング関係を表す。
【０２３７】
センダ1902は、プロセッサ1901によって入手された第1の情報を基地局に送信するように構成される。
【０２３８】
さらに、センダ1902は、
第1の情報を基地局に送信し、基地局は、中断遅延に従って、または第1の識別子によって決定される中断遅延に従って、または第2の識別子によって決定される中断遅延に従って、基地局の現在の構成が所定のサービス品質を満足できるのかどうかを判定する
ように特に構成される。
【０２３９】
さらに、プロセッサ1901は、
第1の情報を入手する前に、第1の端末1900の構成情報を入手し、第1の端末1900の構成情報は、第2の端末によって報告される第3の識別子に従って基地局によって判定され、第3の識別子は、第2の端末が測定レポートをトリガしまたは送信する瞬間と第1のタイマとの間のタイミング関係を表し、第1の端末1900の構成情報は、少なくとも、第1の端末1900のために構成される挙動モードに関する情報を含む
ようにさらに特に構成される。
【０２４０】
プロセッサ1901は、
第1の端末1900の入手された構成情報に従って構成を実行する
ようにさらに構成される。
【０２４１】
プロセッサ1901は、
第1の情報が中断遅延である場合に、第1の端末1900のために構成される挙動モードに従って中断遅延を入手する
ようにさらに特に構成される。
【０２４２】
プロセッサ1901は、
第1の情報が第1の識別子である場合に、端末が測定レポートをトリガしまたは送信する瞬間と第1のタイマとの間のタイミング関係と第1の識別子との間の事前に記憶された対応に従って第1の識別子を入手する
ようにさらに特に構成される。
【０２４３】
プロセッサ1901は、
第1の情報が第2の識別子である場合に、端末が接続再確立を開始する瞬間と第1のタイマとの間のタイミング関係と第2の識別子との間の事前に記憶された対応に従って第2の識別子を入手する
ようにさらに特に構成される。
【０２４４】
さらに、第1の端末1900の構成情報は、第2の端末によって報告される第1の時間長または第2の時間長に従って基地局によってさらに判定され、第1の時間長は、第2の端末が測定レポートをトリガしまたは送信する瞬間と第1のタイマが始動される瞬間との間の時間長であり、第2の時間長は、第2の端末が測定レポートをトリガしまたは送信する瞬間と第1のタイマが満了する瞬間との間の時間長である。
【０２４５】
さらに、第1/第2の端末が測定レポートをトリガしまたは送信する瞬間と第1のタイマとの間のタイミング関係は、
第1のタイマが始動される前に第1/第2の端末が測定レポートをトリガしまたは送信する第1の関係
または
第1のタイマの作動中に第1/第2の端末が測定レポートをトリガしまたは送信する第2の関係
または
第1のタイマが満了する時に第1/第2の端末がまだ測定レポートをトリガまたは送信していない第3の関係
を含む。
【０２４６】
さらに、第1の端末1900のために構成される挙動モードは、
第1の関係が発生する時に、第1のタイマに関して第1の端末1900によって構成されるタイマ長が、第1のタイマ長であり、第1のタイマが満了する時に、第1の端末1900が、接続再確立を開始し、
第2の関係または第3の関係が発生する時に、第1のタイマに関して第1の端末1900によって構成されるタイマ長が、第2のタイマ長であり、第1のタイマが満了する時に、第1の端末1900が接続再確立を開始する
を含む第1の挙動モード
または
第1のタイマに関して第1の端末1900によって構成されるタイマ長が、第2のタイマ長であり、
第2の関係が発生し、第1の端末1900が測定レポートをトリガしまたは送信する時に、第1の端末1900が、作動中の第1のタイマを終了し、接続再確立を開始し、
第1の関係または第3の関係が発生し、第1のタイマが満了する時に、第1の端末1900が接続再確立を開始する
を含む第2の挙動モード
または
第1の関係が発生する時に、第1のタイマに関して第1の端末1900によって構成されるタイマ長が、第1のタイマ長であり、第1のタイマが満了する時に、第1の端末1900が、接続再確立を開始し、
第2の関係が発生する時に、第1のタイマに関して第1の端末1900によって構成されるタイマ長が、第2のタイマ長であり、第1の端末1900が、測定レポートをトリガしまたは送信する時に、第1の端末1900が、作動中の第1のタイマを終了し、接続再確立を開始し、
第3の関係が発生する時に、第1のタイマに関して第1の端末1900によって構成されるタイマ長が、第2のタイマ長であり、第1のタイマが、満了する時に、第1の端末1900が、接続再確立を開始する
を含む第3の挙動モード、
または
第1のタイマに関して第1の端末1900によって構成されるタイマ長が、第2のタイマ長であり、
第1のタイマが満了する時に、第1の端末1900が、接続再確立を開始する
を含む第4の挙動モード
を特に含む。
【０２４７】
さらに、第1の端末1900のために構成される挙動モードが、第1の挙動モードである場合に、プロセッサ1901は、
第1の関係が発生する時に、第1のタイマの第1のタイマ長が中断遅延であることを入手し、
第2の関係または第3の関係が発生する時に、第1のタイマの第2のタイマ長が中断遅延であることを入手する
ようにさらに特に構成される。
【０２４８】
オプションで、第1の端末1900のために構成される挙動モードが、第2の挙動モードである場合に、プロセッサ1901は、
第2の関係が発生する時に、第1のタイマの作動時間長値が中断遅延であることを入手し、第1のタイマの作動時間長値は、第1のタイマが始動される瞬間と第1の端末1900が測定レポートをトリガしまたは送信する瞬間との間の時間長であり、
第1の関係または第3の関係が発生する時に、第1のタイマの第2のタイマ長が中断遅延であることを入手する
ようにさらに特に構成される。
【０２４９】
オプションで、第1の端末1900のために構成される挙動モードが、第3の挙動モードである場合に、プロセッサ1901は、
第1の関係が発生する時に、第1のタイマの第1のタイマ長が中断遅延であることを入手し、
第2の関係が発生する時に、第1のタイマの作動時間長値が中断遅延であることを入手し、第1のタイマの作動時間長値は、第1のタイマが始動される瞬間と第1の端末1900が測定レポートをトリガしまたは送信する瞬間との間の時間長であり、
第3の関係が発生する時に、第1のタイマの第2のタイマ長が中断遅延であることを入手する
ようにさらに特に構成される。
【０２５０】
オプションで、第1の端末1900のために構成される挙動モードが、第4の挙動モードである場合に、プロセッサ1901は、
第1のタイマの第2のタイマ長が中断遅延であることを入手する
ようにさらに特に構成される。
【０２５１】
さらに、第1の端末1900が接続再確立を開始する瞬間と第1のタイマとの間のタイミング関係は、
第1のタイマが満了する時に第1の端末1900が接続再確立を開始し、第1のタイマに関して現在構成されているタイマ長が第1のタイマ長である、第4の関係
または
第1のタイマが満了する時に第1の端末1900が接続再確立を開始し、第1のタイマに関して現在構成されているタイマ長が第2のタイマ長であり、第1のタイマ長および第2のタイマ長が異なる、第5の関係
または
第1のタイマの作動中に第1の端末1900が接続再確立を開始し、第1のタイマに関して現在構成されているタイマ長が第2のタイマ長である、第6の関係
を特に含む。
【０２５２】
具体的には、第1の端末を使用することによって端末情報を報告する方法について、実施形態1および実施形態2の説明を参照することができ、本発明のこの実施形態においてこれをもう一度説明することはしない。
【０２５３】
本発明のこの実施形態において提供される第1の端末に基づいて、第1の端末のプロセッサは、第1の情報を入手し、センダは、第1の情報を基地局に送信し、その結果、基地局は、第1の情報を入手し、第1の情報に従って、基地局の現在の構成が所定のサービス品質を満足できるのかどうかを判定することができるようになり、さらに、基地局の現在の構成が所定のサービス品質を満足することができない場合には、現在の構成パラメータおよび現在の構成ポリシーが、サービス品質を改善するために調整され得、第1の情報は、中断遅延、または第1の識別子、または第2の識別子を含み、第1の識別子は、第1の端末が測定レポートをトリガしまたは送信する瞬間と第1のタイマとの間のタイミング関係を表し、第2の識別子は、第1の端末が接続再確立を開始する瞬間と第1のタイマとの間のタイミング関係を表す。
【０２５４】実施形態６  本発明のこの実施形態は、基地局を提供し、具体的には、図20に示されているように、基地局は、プロセッサ2001およびメモリ2002を含む。
【０２５５】
プロセッサは、第1の端末によって報告された第1の情報を入手するように構成され、第1の情報は、中断遅延、または第1の識別子、または第2の識別子を含み、第1の識別子は、第1の端末が測定レポートをトリガしまたは送信する瞬間と第1のタイマとの間のタイミング関係を表し、第2の識別子は、第1の端末が接続再確立を開始する瞬間と第1のタイマとの間のタイミング関係を表す。
【０２５６】
メモリは、第1の情報を記憶するように構成される。
【０２５７】
プロセッサは、第1の情報に従って、基地局の現在の構成が所定のサービス品質を満足できるのかどうかを判定するようにさらに構成される。
【０２５８】
さらに、プロセッサは、
第1の情報が中断遅延である場合に、中断遅延に従って、基地局の現在の構成が所定のサービス品質を満足できるのかどうかを判定する
ように特に構成される。
【０２５９】
メモリは、第1の識別子と中断遅延との間の対応を記憶するようにさらに構成される。
【０２６０】
プロセッサは、
第1の情報が第1の識別子である場合に、第1の識別子と中断遅延との間の事前に記憶された対応に従って第1の識別子に対応する中断遅延を入手し、
第1の識別子に対応する中断遅延に従って、基地局の現在の構成が所定のサービス品質を満足できるのかどうかを判定する
ようにさらに特に構成される。
【０２６１】
メモリは、第2の識別子と中断遅延との間の対応を記憶するようにさらに構成される。
【０２６２】
プロセッサは、
第1の情報が第2の識別子である場合に、第2の識別子と中断遅延との間の事前に記憶された対応に従って第2の識別子に対応する中断遅延を入手し
第2の識別子に対応する中断遅延に従って、基地局の現在の構成が所定のサービス品質を満足できるのかどうかを判定する
ようにさらに特に構成される。
【０２６３】  さらに、図21に示されているように、基地局は、センダ2003をさらに含む。
【０２６４】
プロセッサは、第1の端末によって報告された第1の情報を入手する前に、少なくとも1つのタイプの第3の識別子を入手するようにさらに構成され、第3の識別子は、第2の端末が測定レポートをトリガしまたは送信する瞬間と第1のタイマとの間のタイミング関係を表す。
【０２６５】
プロセッサは、少なくとも1つのタイプの入手された第3の識別子に従って第1の端末に対応する好ましい挙動モードを判定するようにさらに構成される。
【０２６６】
センダは、基地局が好ましい挙動モードが構成されることを許可する場合に、第1の端末が好ましい挙動モードを構成するようにするために、判定ユニットによって判定された好ましい挙動モードに関する情報を第1の端末に送信するように構成される。
【０２６７】
センダは、基地局が好ましい挙動モードが構成されることを許可しない場合に、第1の端末が、基地局が構成を許可する挙動モードおよび第1のパラメータに関する情報に従って構成を実行するようにするために、基地局が構成を許可する挙動モードおよび第1のパラメータに関する情報を第1の端末に送信するようにさらに構成され、第1のパラメータは、基地局が構成を許可する挙動モードが第1の端末の好ましい挙動モードになることを可能にするパラメータである。
【０２６８】
さらに、プロセッサは、
少なくとも1つのタイプの第3の識別子の各タイプの第3の識別子の量をカウントし、
少なくとも1つのタイプの識別子の各タイプの第3の識別子の量に従って、第4の識別子を判定し、第4の識別子は、少なくとも1つのタイプの第3の識別子の中で識別子の最大の量を有する識別子のタイプであり、
第4の識別子に従って第4の識別子に対応する好ましい挙動モードを判定し、好ましい挙動モードが第1の端末に対応する好ましい挙動モードであると判定する
ように特に構成される。
【０２６９】
さらに、第1/第2の端末が測定レポートをトリガしまたは送信する瞬間と第1のタイマとの間のタイミング関係は、
第1のタイマが始動される前に第1/第2の端末が測定レポートをトリガしまたは送信する、第1の関係
または
第1のタイマの作動中に第1/第2の端末が測定レポートをトリガしまたは送信する、第2の関係
または
第1のタイマが満了する時に第1/第2の端末がまだ測定レポートをトリガまたは送信していない、第3の関係
を含む。
【０２７０】
さらに、第1の端末に対応する好ましい挙動モードは、
第1の関係が発生する時に、第1のタイマに関して第1の端末によって構成されるタイマ長が、第1のタイマ長であり、第1のタイマが満了する時に、第1の端末が、接続再確立を開始し、
第2の関係または第3の関係が発生する時に、第1のタイマに関して第1の端末によって構成されるタイマ長が、第2のタイマ長であり、第1のタイマが満了する時に、第1の端末が、接続再確立を開始する
を含む第1の挙動モード
または
第1のタイマに関して第1の端末によって構成されるタイマ長が、第2のタイマ長であり、
第2の関係が発生し、第1の端末が測定レポートをトリガしまたは送信する時に、第1の端末が、作動中の第1のタイマを終了し、接続再確立を開始し、
第1の関係または第3の関係が発生し、第1のタイマが満了する時に、第1の端末が、接続再確立を開始する
を含む第2の挙動モード
または
第1の関係が発生する時に、第1のタイマに関して第1の端末によって構成されるタイマ長が、第1のタイマ長であり、第1のタイマが満了する時に、第1の端末が、接続再確立を開始し、
第2の関係が発生する時に、第1のタイマに関して第1の端末によって構成されるタイマ長が、第2のタイマ長であり、第1の端末が測定レポートをトリガしまたは送信する時に、第1の端末が、作動中の第1のタイマを終了し、接続再確立を開始し、
第3の関係が発生する時に、第1のタイマに関して第1の端末によって構成されるタイマ長が、第2のタイマ長であり、第1のタイマが満了する時に、第1の端末が、接続再確立を開始する
を含む第3の挙動モード、
または
第1のタイマに関して第1の端末によって構成されるタイマ長が、第2のタイマ長であり、
第1のタイマが満了する時に、第1の端末が接続再確立を開始する
を含む第4の挙動モード
を特に含む。
【０２７１】
さらに、第4の識別子は、第1の関係を特に表す。
【０２７２】
プロセッサは、
第4の識別子に従って、第4の識別子に対応する好ましい挙動モードが、第1の挙動モードまたは第3の挙動モードであることを判定する
ように特に構成される。
【０２７３】
センダは、
基地局が、第1の挙動モードが構成されることを許可する場合に、第1の端末が第1の挙動モードを構成するようにするために、第1の挙動モードに関する情報を第1の端末に送信し、または
基地局が、第3の挙動モードが構成されることを許可する場合に、第1の端末が第3の挙動モードを構成するようにするために、第3の挙動モードに関する情報を第1の端末に送信する
ように特に構成される。
【０２７４】
さらに、センダは、
基地局が、第1の挙動モードが構成されることを許可せず、第3の挙動モードが構成されることを許可しないが、第4の挙動モードおよび第2の挙動モードが構成されることを許可する場合に、第1の端末が、第4の挙動モードおよび第1のパラメータに関する情報に従って構成を実行するようにするために、第4の挙動モードおよび第1のパラメータに関する情報を第1の端末に送信し、
または
第1の端末が、第2の挙動モードおよび第1のパラメータに関する情報に従って構成を実行するようにするために、第2の挙動モードおよび第1のパラメータに関する情報を第1の端末に送信する
ようにさらに特に構成される。
【０２７５】
オプションで、第4の識別子は、第2の関係を特に表す。
【０２７６】
プロセッサは、
第4の識別子に従って、第4の識別子に対応する好ましい挙動モードが第2の挙動モードまたは第3の挙動モードであることを判定する
ように特に構成される。
【０２７７】
センダは、
基地局が、第2の挙動モードが構成されることを許可する場合に、第1の端末が第2の挙動モードを構成するようにするために、第2の挙動モードに関する情報を第1の端末に送信し、または、
基地局が、第3の挙動モードが構成されることを許可する場合に、第1の端末が第3の挙動モードを構成するようにするために、第3の挙動モードに関する情報を第1の端末に送信する
ように特に構成される。
【０２７８】
さらに、センダは、
基地局が、第2の挙動モードが構成されることを許可せず、第3の挙動モードが構成されることを許可しないが、第4の挙動モードおよび第1の挙動モードが構成されることを許可する場合に、第1の端末が第4の挙動モードおよび第1のパラメータに関する情報に従って構成を実行するようにするために、第4の挙動モードおよび第1のパラメータに関する情報を第1の端末に送信し、
または
第1の端末が、第1の挙動モードおよび第1のパラメータに関する情報に従って構成を実行するようにするために、第1の挙動モードおよび第1のパラメータに関する情報を第1の端末に送信する
ようにさらに特に構成される。
【０２７９】
オプションで、第4の識別子は、第3の関係を特に表す。
【０２８０】
プロセッサは、
第4の識別子の量が、第5の識別子の量と第6の識別子の量との合計より多くはない場合に、第4の識別子に対応する好ましい挙動モードが、第3の挙動モードであると判定し、第5の識別子および第6の識別子のうちの一方の識別子は、第2の関係に対応し、他方の識別子は、第1の関係に対応する
ように特に構成される。
【０２８１】
センダは、
基地局が、第3の挙動モードが構成されることを許可する場合に、第1の端末が第3の挙動モードを構成するようにするために、第3の挙動モードに関する情報を第1の端末に送信する
ように特に構成される。
【０２８２】
さらに、センダは、
基地局が、第3の挙動モードが構成されることを許可しないが、第4の挙動モードおよび第1の挙動モードが構成されることを許可する場合に、第1の端末が、第4の挙動モードおよび第1のパラメータに関する情報に従って構成を実行するようにするために、第4の挙動モードおよび第1のパラメータに関する情報を第1の端末に送信し、
または
第1の端末が第1の挙動モードおよび第1のパラメータに関する情報に従って構成を実行するようにするために、第1の挙動モードおよび第1のパラメータに関する情報を第1の端末に送信する
ようにさらに特に構成される。
【０２８３】
代替案では、センダは、
基地局が、第3の挙動モードが構成されることを許可しないが、第4の挙動モードおよび第2の挙動モードが構成されることを許可する場合に、第1の端末が第4の挙動モードおよび第1のパラメータに関する情報に従って構成を実行するようにするために、第4の挙動モードおよび第1のパラメータに関する情報を第1の端末に送信し、
または
第1の端末が第2の挙動モードおよび第1のパラメータに関する情報に従って構成を実行するようにするために、第2の挙動モードおよび第1のパラメータに関する情報を第1の端末に送信する
ようにさらに特に構成される。
【０２８４】
さらに、プロセッサは、
少なくとも1つのタイプの識別子に従って第1の端末に対応する好ましい挙動モードを判定する前に、第2の端末によって報告された第1の時間長または第2の時間長を入手し、第1の時間長は、第2の端末が測定レポートをトリガしまたは送信する瞬間と第1のタイマが始動される瞬間との間の時間長であり、第2の時間長は、第2の端末が測定レポートをトリガしまたは送信する瞬間と第1のタイマが満了する瞬間との間の時間長である
ようにさらに構成される。
【０２８５】
第1のパラメータは、
第1の時間長または第2の時間長に従って判定されるパラメータ
を特に含む。
【０２８６】
さらに、第1の端末が接続再確立を開始する瞬間と第1のタイマとの間のタイミング関係は、
第1のタイマが満了する時に、第1の端末が、接続再確立を開始し、第1のタイマに関して現在構成されているタイマ長が、第1のタイマ長である、第4の関係
または
第1のタイマが満了する時に、第1の端末が、接続再確立を開始し、第1のタイマに関して現在構成されているタイマ長が、第2のタイマ長であり、第1のタイマ長および第2のタイマ長が、異なる、第5の関係
または
第1のタイマの作動中に、第1の端末が、接続再確立を開始し、第1のタイマに関して現在構成されているタイマ長が、第2のタイマ長である、第6の関係
を特に含む。
【０２８７】
具体的には、基地局を使用することによって端末情報を報告する方法について、実施形態1および実施形態2の説明を参照することができ、本発明のこの実施形態においてこれをもう一度説明することはしない。
【０２８８】
本発明の前述の実施形態において提供される基地局に基づいて、基地局のプロセッサは、第1の情報を入手し、第1の情報に従って、基地局の現在の構成が所定のサービス品質を満足できるのかどうかを判定し、その結果、基地局の現在の構成が所定のサービス品質を満足することができない時には、現在の構成パラメータおよび現在の構成ポリシーが、サービス品質を改善するために調整され得、第1の情報は、中断遅延、または第1の識別子、または第2の識別子を含み、第1の識別子は、第1の端末が測定レポートをトリガしまたは送信する瞬間と第1のタイマとの間のタイミング関係を表し、第2の識別子は、第1の端末が接続再確立を開始する瞬間と第1のタイマとの間のタイミング関係を表す。
【０２８９】
適切な短い説明において、前述の機能モジュールの分割が、上で説明される装置を例示するための例と解釈されることが、当業者によって明瞭に理解され得る。実際の応用例では、前述の機能を、異なる機能モジュールに割り振り、要件に従って実施することができる、すなわち、装置のより内側の構造が、上で説明された機能のすべてまたは一部を実施するために異なる機能モジュールに分割される。前述のシステム、装置、およびユニットの詳細な動作プロセスについては、前述の方法実施形態内の対応するプロセスを参照することができ、詳細を本明細書でもう一度説明することはしない。
【０２９０】
本願で提供される複数の実施形態において、開示されるシステム、装置、および方法を、他の形で実施できることを理解されたい。たとえば、説明される装置実施形態は、例示的であるにすぎない。たとえば、モジュール分割またはユニット分割は、単に論理的機能分割であり、実際の実施態様において他の分割とすることができる。たとえば、複数のユニットまたはコンポーネントを、組み合わせるか別のシステム内に一体化することができ、あるいは、いくつかの特徴を、無視しまたは実行されないものとすることができる。さらに、表示されまたは議論される相互結合、または直接結合、または通信接続を、他のインターフェースを使用することによって実施することができる。装置またはユニットの間の間接結合または通信接続を、電子的な形、機械的な形、または他の形で実施することができる。
【０２９１】
別々の部分として説明されるユニットは、物理的に別々であってもなくてもよく、複数のユニットとして表示される部分は、物理ユニットであってもなくてもよく、1つの位置に配置されてもよく、あるいは、複数のネットワークユニット上に分散されてもよい。ユニットの一部またはすべてを、諸実施形態の解決策の目的を達成するための実際の必要に従って選択することができる。
【０２９２】
さらに、本発明の実施形態の複数の機能ユニットを、1つの処理ユニットに一体化することができ、あるいは、ユニットのそれぞれが、物理的に単独で存在することができ、あるいは、2つ以上のユニットが、1つのユニットに一体化される。一体化されたユニットを、ハードウェアの形で実施することができ、あるいは、ソフトウェア機能ユニットの形で実施することができる。
【０２９３】  一体化されたユニットが、ソフトウェア機能ユニットの形で実施され、独立の製品として販売されまたは使用される時に、一体化されたユニットを、コンピュータ可読記憶媒体内に記憶することができる。そのような理解に基づいて、本質的に、本発明の技術的解決策、または従来技術に寄与する部分、または技術的解決策のすべてもしくは一部を、ソフトウェア製品の形で実施することができる。ソフトウェア製品は、記憶媒体内に記憶され、本発明の実施形態において説明される方法のステップのすべてまたは一部を実行するようにコンピュータデバイス(パーソナルコンピュータ、サーバ、またはネットワークデバイスとすることができる)またはプロセッサに指示する複数の命令を含む。前述の記憶媒体は、USBフラッシュドライブ、リムーバブルハードディスク、読取専用メモリ(ROM)、ランダムアクセスメモリ(RAM)、磁気ディスク、または光ディスクなど、プログラムコードを記憶することができるすべての媒体を含む。
【０２９４】
前述の説明は、単に、本発明の特定の実施の形であるが、本発明の保護範囲を限定することは意図されていない。本発明において開示される技術的範囲内で当業者によってたやすく考え出されるすべての変形または置換は、本発明の保護範囲に含まれなければならない。したがって、本発明の保護範囲は、特許請求の範囲の保護範囲に従わなければならない。
【符号の説明】
【０２９５】
1500  第1の端末
1501  入手ユニット
1502  送信ユニット
1503  構成ユニット
1700  基地局
1701  入手ユニット
1702  判定ユニット
1703  送信ユニット
1900  第1の端末
1901  プロセッサ
1902  センダ
【図１】
0006255615.tif 000006
【図２】
0006255615.tif 000007
【図３】
0006255615.tif 000008
【図４】
0006255615.tif 000009
【図５】
0006255615.tif 000010
【図６】
0006255615.tif 000011
【図７】
0006255615.tif 000012
【図８】
0006255615.tif 000013
【図９】
0006255615.tif 000014
【図１０】
0006255615.tif 000015
【図１１】
0006255615.tif 000016
【図１２】
0006255615.tif 000017
【図１３】
0006255615.tif 000018
【図１４】
0006255615.tif 000019
【図１５】
0006255615.tif 000020
【図１６】
0006255615.tif 000021
【図１７】
0006255615.tif 000022
【図１８】
0006255615.tif 000023
【図１９】
0006255615.tif 000024
【図２０】
0006255615.tif 000025
【図２１】
0006255615.tif 000026